(57)【要約】【課題】遊技の興趣向上に寄与する遊技機を提供する。【解決手段】遊技者に有利な特別遊技状態にするか否かの判定を行う判定手段と、所定の演出を実行可能な演出実行手段と、備え、演出実行手段は、判定の結果に基づいて、特別遊技状態になる可能性が高いことを示唆する特別演出を実行可能であり、特別演出が実行される可能性を示唆する演出であって、所定の更新条件が成立するごとに、進捗量を更新させることが可能な更新演出を実行可能にし、更新条件が成立した場合、進捗量を更新させるときと、更新させないときとがあることを特徴とする。【選択図】図２
2018079075.tif 000002
【特許請求の範囲】
【請求項１】
遊技者に有利な特別遊技状態にするか否かの判定を行う判定手段と、
所定の演出を実行可能な演出実行手段と、備え、
前記演出実行手段は、
前記判定の結果に基づいて、前記特別遊技状態になる可能性が高いことを示唆する特別演出を実行可能であり、
前記特別演出が実行される可能性を示唆する演出であって、所定の更新条件が成立するごとに、進捗量を更新させることが可能な更新演出を実行可能にし、
前記更新条件が成立した場合、前記進捗量を更新させるときと、前記更新させないときとがあることを特徴とする遊技機。
【請求項２】
前記演出実行手段は、
前記進捗量が所定量のときに前記更新条件が成立した場合、前記特別演出が実行されても実行されなくても、前記進捗量を更新させないときがあることを特徴とする請求項１に記載の遊技機。
【請求項３】
前記進捗量が第１の特定値のときと、前記第１の特定値よりも大きい第２の特定値のときとで、前記進捗量が更新されない確率が互いに異なることを特徴とする請求項１又は請求項２に記載の遊技機。
【請求項４】
前記演出実行手段は、
前記進捗量を所定値まで又は所定値を超えて更新させるときと、前記進捗量を前記所定値まで更新させないときとがあり、
前記更新条件が成立した場合、前記進捗量を第１の値だけ更新させるときと、前記第１の値よりも大きい第２の値だけ更新させるときとがあり、
前記進捗量が前記所定値まで又は所定値を超えて更新されたときは、前記特別演出が実行されやすいことを特徴とする請求項１から請求項３のいずれかに記載の遊技機。
【発明の詳細な説明】
【技術分野】
【０００１】
本発明は、パチンコ遊技機などの遊技機に関する。
【背景技術】
【０００２】
遊技機（パチンコ遊技機）の一種では、遊技球が所定領域を通過したことを検出すると遊技球の検出に基づいて抽選情報を取得する。取得された抽選情報に基づく抽選を行って、大当たりとハズレとを含む複数種類の抽選結果の中から一種類の抽選結果を決定する。抽選結果が大当たりである場合に、遊技者に特典を付与する。
【０００３】
この種の遊技機では、演出表示装置を備えており、遊技状態や大当り抽選の抽選結果に応じて演出表示装置に様々な演出画像を表示させることで、抽選への期待感等を持たせて、遊技者の興趣を高めるようにしている。
【０００４】
また、遊技者が操作可能な操作ボタンを備えており、操作ボタンが操作されることによる、条件の成立に基づいて、所定の演出価値（例えば、ゲージのレベルの増加）を付与する遊技機もある。
【先行技術文献】
【特許文献】
【０００５】
【特許文献１】特開2016-172052号公報
【発明の概要】
【発明が解決しようとする課題】
【０００６】
上記のような演出価値に関連する演出の行い方について、改良の余地があると考えられる。
【０００７】
そこで本発明は、演出の改良を通じて遊技の興趣向上に寄与する遊技機を提供することを目的とする。
【課題を解決するための手段】
【０００８】
本発明に係る遊技機は、遊技者に有利な特別遊技状態にするか否かの判定を行う判定手段と、所定の演出を実行可能な演出実行手段と、備え、前記演出実行手段は、前記判定の結果に基づいて、前記特別遊技状態になる可能性が高いことを示唆する特別演出を実行可能であり、前記特別演出が実行される可能性を示唆する演出であって、所定の更新条件が成立するごとに、進捗量を更新させることが可能な更新演出を実行可能にし、前記更新条件が成立した場合、前記進捗量を更新させるときと、前記更新させないときとがあることを特徴とする。
【発明の効果】
【０００９】
本発明によれば、遊技の興趣向上に寄与する遊技機を提供することができる。
【図面の簡単な説明】
【００１０】
【図１】本発明の実施形態に係る遊技機の正面図である。
【図２】本発明の実施形態に係る遊技機の、制御に関わる部分のブロック図である。
【図３】遊技機の主制御部にて実行される処理の一部を列記した図である。
【図４】遊技機の主制御部における特図当たり判定テーブルの説明図である。
【図５】遊技機の演出制御部にて実行される処理の一部を列記した図である。
【図６】本発明の実施形態に係る大当たりの種類を示す図である。
【図７】保留画像及び当該権利画像の表示位置の説明図である。
【図８】保留画像又は当該権利画像の表示態様の種類を示す図である。
【図９】リーチ演出の説明図である。
【図１０】図（ａ）は第１及び第２装飾図柄が同じ数字で仮停止した状態の画像表示部を示す図であり、図（ｂ）は第１〜第３装飾図柄がゾロ目の態様で停止している状態の画像表示部を示す図であり、図（ｃ）は第１〜第３装飾図柄がバラケ目の態様で停止している状態の画像表示部を示す図であり、図（ｄ）は第１〜第３装飾図柄がゾロ目の態様で仮停止している状態の画像表示部を示す図であり、図（ｅ）は第１〜第３装飾図柄がバラケ目の態様で仮停止している状態の画像表示部を示す図である。
【図１１】図（ａ）は電サポ遊技状態が実行されている状態の画像表示部を示す図であり、図（ｂ）は電サポ遊技の残り回数のカウントダウンを開始した状態の画像表示部を示す図であり、図（ｃ）は電サポ遊技状態における昇格演出が行われたときの画像表示部を示す図であり、図（ｄ）は大当たり遊技が実行されている状態の画像表示部を示す図であり、図（ｅ）は大当たり遊技中における昇格演出が行われたときの画像表示部を示す図である。
【図１２】更新演出が実行されているときの画像表示部を示す図である。
【図１３】図（ａ）は１回の更新条件の成立によって第１の値だけ進捗量を更新した状態の画像表示部を示す図であり、図（ｂ）は１回の更新条件の成立によって第２の値だけ進捗量を更新した状態の画像表示部を示す図である。
【図１４】更新演出の他の例が実行されているときの画像表示部を示す図である。
【図１５】更新演出の他の例が実行されているときの画像表示部を示す図である。
【図１６】本発明の第１実施例にて想定される状況（α１）下での演出の流れを示す図である。
【図１７】本発明の第１実施例にて想定される他の状況（α２）下での演出の流れを示す図である。
【図１８】本発明の第１実施例にかかる特図変動パターンテーブルの説明図である。
【図１９】本発明の第２実施例にかかる進捗量が更新される状態を示す図である。
【図２０】本発明の第２実施例の変形例１にかかる進捗量が更新される状態を示す図である。
【図２１】本発明の第３実施例にかかる進捗量が更新される状態を示す図である。
【図２２】本発明の第４実施例にかかる進捗量が更新される状態を示す図である。
【図２３】本発明の第４実施例の変形例２にかかる進捗量が更新される状態を示す図である。
【図２４】図（ａ）は本発明の第５実施例の進捗量が所定値まで更新された場合の画像表示部の変化を示す図であり、図（ｂ）は本発明の第５実施例の進捗量が所定値＋１まで更新された場合の画像表示部の変化を示す図であり、図（ｃ）は本発明の第５実施例の進捗量が最大値まで更新された場合の画像表示部の変化を示す図である。
【図２５】本発明の第６実施例にて想定される状況（α３）下での演出の流れを示す図である。
【図２６】本発明の第６実施例の変形例にて想定される状況（α４）下での演出の流れを示す図である。
【図２７】本発明の第７実施例にて想定される状況（β１）下での演出の流れを示す図である。
【図２８】本発明の第８実施例にて想定される状況（γ１）下での演出の流れを示す図である。
【図２９】本発明の第８実施例にて想定される更新演出が実行されている状態の画面表示部を示す図である。
【発明を実施するための形態】
【００１１】
以下、本発明の実施形態の例を、図面を参照して具体的に説明する。参照される各図において、同一の部分には同一の符号を付し、同一の部分に関する重複する説明を原則として省略する。なお、本明細書では、記述の簡略化上、情報、信号、物理量又は部材等を参照する記号又は符号を記すことによって、該記号又は符号に対応する情報、信号、物理量又は部材等の名称を省略又は略記することがある。
【００１２】
本発明に係る遊技機に好適な実施形態を詳細に説明する。本実施形態では、本発明に係る遊技機を、旧第一種に属する遊技機（所謂デジパチ）に適用している。
【００１３】
＜＜遊技機の基本構成＞＞
図１は、本実施形態に係る遊技機１００の正面図である。図１を参照して遊技機１００の基本構成を説明する。遊技機１００は、遊技盤１０１を含む他、図１に示された各構成部材を備える。なお、上下左右とは、特に記述無き限り、遊技機１００及び遊技盤１０１に正対する遊技者から見た上下左右を指す。上下方向も左右方向も遊技盤１０１の盤面に平行である。上下方向は鉛直方向に平行であり、左右方向は水平方向に平行である。また特に記述無き限り、前方とは、遊技機１００及び遊技盤１０１に正対する遊技者に対して近い方を指し、後方は、特に記述無き限り、遊技機１００及び遊技盤１０１に正対する遊技者に対して遠い方を指す。
【００１４】
遊技機１００は、パチンコ遊技機であって、遊技施設に配置された島構造体に取り付けられる外枠１０と、外枠１０に対して開閉自在に取り付けられる内枠１１と、内枠１１に対して開閉自在に取り付けられる扉枠１２と、を備える。扉枠１２には、後述する遊技領域１０３のほぼ全域を前方（遊技者側）から視認することができるように、透明性を有するガラス板が嵌め込まれて成る窓部１２ａが形成されている。遊技盤１０１は内枠１１に対して着脱可能に取り付けられる。遊技盤１０１の下部位置には、遊技球を発射するための発射部が配置されている（発射部の詳細構造は図示せず）。
【００１５】
発射部の駆動により上方に発射された遊技球は、レール１０２ａ及び１０２ｂ間を上昇して遊技盤１０１の上部位置に達した後、遊技盤１０１に形成された遊技領域１０３内を落下（流下）するようになっている。遊技領域１０３には、複数の釘（不図示）が設けられており、この釘によって遊技球は不特定な方向に移動方向を変化させながら落下する。また、遊技盤１０１において、遊技領域１０３における遊技球の落下経路には、遊技球の落下方向を変化させる風車（不図示）や、第１始動口１０５、第２始動口１０６、電動チューリップ１０７、ゲート１０８、大入賞口１１１及び普通入賞口１１２が設置される。遊技盤１０１の略中央部分には、装飾図柄を含む各種の演出画像を表示可能な、液晶ディスプレイパネル等から成る画像表示部１０４が配置される。
【００１６】
始動口１０５及び１０６は、画像表示部１０４の下方に設置され、それぞれに遊技球が通過可能（入賞可能）な始動領域を形成する。所定の第１始動条件又は第２始動条件が成立することによって特図判定（大当たり遊技を行うか否か等の判定）を受けるための権利が取得される。第１、第２始動条件は、それぞれ、始動口１０５、１０６に遊技球が入賞することによって成立する。また、遊技機１００は、始動口１０５又は１０６に入賞した遊技球を検出すると、所定個数（例えば３個）の遊技球を払い出す。始動口１０５、１０６、大入賞口１１１又は普通入賞口１１２に対する遊技球の入賞に起因して払い出される遊技球を賞球とも呼ぶ。なお、入賞を入球と読み替えても良い。
【００１７】
第２始動口１０６の近傍に、電動チューリップ１０７が設けられる。電動チューリップ１０７は、遊技球を第２始動口１０６へ入賞し難くさせる閉状態（閉口した状態）と、閉状態よりも遊技球を第２始動口１０６へ入賞しやすくさせる開状態（開放した状態）の内の、どちらかの状態をとる。実質的には、電動チューリップ１０７が閉状態であるとき、遊技球の第２始動口１０６への入賞は不可能であり、電動チューリップ１０７が開状態であるときにのみ、遊技球の第２始動口１０６への入賞が可能となる。電動チューリップ１０７が開状態となることを、電動チューリップ１０７の開放とも言う。電動チューリップ１０７は、画像表示部１０４の右側に配置されたゲート１０８を遊技球が通過したことにより行われる普図判定の結果に基づいて開放される。
【００１８】
第１始動口１０５及び第２始動口１０６の右側には大入賞口１１１が設けられる。大入賞口１１１も、電動チューリップ１０７のように開閉動作が可能となっており、遊技球を大入賞口１１１へ入賞し難くさせる閉状態（閉口した状態）と、閉状態よりも遊技球を大入賞口１１１へ入賞しやすくさせる開状態（開放した状態）の内の、どちらかの状態をとる。実質的には、大入賞口１１１が閉状態であるとき、遊技球の大入賞口１１１への入賞は不可能であり、大入賞口１１１が開状態であるときにのみ、遊技球の大入賞口１１１への入賞が可能となる。大入賞口１１１が開状態となることを、大入賞口１１１の開放とも言う。大入賞口１１１は、通常、閉鎖されており、大当たりに当選した場合に、所定条件（例えば、３０秒経過又は遊技球１０個の入賞）を満たすまで開状態となるラウンド遊技を所定回数（例えば１６回）だけ繰り返す。遊技機１００は、大入賞口１１１に入賞した遊技球を検出すると、所定個数（例えば１４個）の賞球を払い出す。
【００１９】
画像表示部１０４の側方や下方などには、１以上の普通入賞口１１２が設置される。遊技機１００は、普通入賞口１１２への入賞を検出した場合には所定個数（例えば５個）の賞球を払い出す。遊技領域１０３の最下部には、第１始動口１０５、第２始動口１０６、大入賞口１１１及び普通入賞口１１２の何れにも入賞しなかった遊技球を回収する回収口１１３が設けられている。遊技盤１０１の右下部分には情報表示部１１４が設けられている。なお、遊技盤１０１上の各構成部品の設置位置を任意に変更可能である。
【００２０】
扉枠１２において、その外周部分には、任意の演出に用いられるスピーカ１１５（スピーカ１１５ａ、１１５ｂ及び１１５ｃを含む）、演出ライト部１１６及び枠可動役物１１７が組み込まれている。演出に用いられる可動役物は、遊技盤１０１上にも設けられている。本実施形態において遊技盤１０１上には盤可動役物１３０が設けられる。また、扉枠１２において、右下位置には操作ハンドル１１９が配置されている。操作ハンドル１１９は遊技者側に突出するような形状を有しており、その外周部には発射指示部材１２０が設けられている。発射指示部材１２０は、操作ハンドル１１９により回転可能に支持されている。遊技者は遊技球を発射させる場合、発射指示部材１２０を時計回りに回転させる。このとき、発射指示部材１２０を回転させる角度により、遊技者は遊技球の発射強度を調整できるようになっている。扉枠１２において遊技領域１０３の下方には、演出ボタン１２１及び十字キー１２２の他、遊技球の収容及び送出に利用される上皿（打球供給皿）１２３、上皿レバー１２４、下皿（余剰球受皿）１２５及び下皿レバー１２６などが設けられている。演出ボタン１２１及び十字キー１２２は、遊技者からの操作の入力を受ける操作入力部（操作受付部又は操作部と呼んでも良い）を構成している。
【００２１】
特図判定の結果は特別図柄によって示され、普図判定の結果は普通図柄によって示される。特別図柄として第１及び第２特別図柄が存在する。第１始動条件の成立に基づく特図判定の権利は所定数（ここでは４とする）を上限として保留され、その保留された権利の個数を保留情報数Ｕ１と呼ぶ。第２始動条件の成立に基づく特図判定の権利は所定数（ここでは４とする）を上限として保留され、その保留された権利の個数を保留情報数Ｕ２と呼ぶ。遊技球がゲート１０８を通過したことによる普図判定の権利は、所定数（ここでは４とする）を上限として保留され、その保留された権利の個数を保留情報数Ｕ３と呼ぶ。
【００２２】
情報表示部１１４は、第１及び第２特別図柄を表示する特別図柄表示部、普通図柄を表示する普通図柄表示部、保留情報数Ｕ１〜Ｕ３を表示する保留表示部、ラウンド数表示部及び右打ち表示部を備えており、各表示部をＬＥＤ（Light Emitting Diode）表示器にて形成することができる。
【００２３】
＜＜遊技機の基本動作＞＞
次に、遊技機１００の基本動作について説明する。遊技機１００は、第１又は第２始動条件の成立により特図判定用情報を取得し、特図判定用情報に基づいて特図判定を行う。特図判定用情報の取得は、特図判定の権利の取得に相当する。特図判定は、大当たりに当選したか否か（大当たりに当選したか、或いはハズレであるか）の判定を含む。なお、大当たりの当選を大当たりの発生と表現することがある（後述の小当たりについても同様）。また、或る特図判定用情報が大当たりに当選していることを、当該特図判定用情報が大当たりであるなどと表現することもある（後述の小当たりについても同様）。第１、第２始動条件の成立により取得された特図判定用情報に基づく特図判定を行うと、遊技機１００は、それぞれ、第１、第２特別図柄を所定時間だけ変動表示させた後、特図判定の結果を示す態様で第１、第２特別図柄を停止表示させる。
【００２４】
遊技機１００は、特別図柄（第１又は第２特別図柄）を変動表示させると、それに合わせて画像表示部１０４上で装飾図柄を変動表示させ、特別図柄の停止表示に合わせて装飾図柄を停止表示させる。画像表示部１０４に表示される装飾図柄は、第１〜第３装飾図柄を含み、各装飾図柄には数値又は記号等が対応付けられている。例えば、大当たりが発生して大当たりを示す態様で特別図柄を停止表示させた場合には、大当たりを示す態様で（例えば「７・７・７」といったいわゆるゾロ目）で第１〜第３装飾図柄を停止表示させる。この際、発生した大当たりの種類に応じ、停止表示される第１〜第３装飾図柄の組み合わせが異なっていて良い。特図判定の結果がハズレの場合（即ち、大当たりに当選していない場合）、第１〜第３装飾図柄を、例えば、ハズレを示す所謂バラケ目で停止させる。バラケ目とは、第１〜第３装飾図柄の内の２つ又は３つが、互いに非共通の図柄とされている状態を指す。
【００２５】
大当たりを示す態様で特別図柄を停止表示させると、遊技機１００は、大当たり遊技状態となる。大当たり遊技状態では、大入賞口１１１を開放させるラウンド遊技を、当選した大当たりの種類に応じたラウンド分（例えば１６ラウンド分）実行する大当たり遊技が行われる。大入賞口１１１の開放中に遊技球が大入賞口１１１へ入賞すると、遊技機１００は所定個数の賞球を払い出す。大当たり遊技状態は、大当たり遊技が終了することによって終了する。大入賞口１１１の開放を伴う遊技（大当たり遊技を含み、後述の小当たり遊技を含みうる）は、大入賞口１１１への遊技球の入賞によって賞球を得られる機会が与えられるため、大入賞口１１１の開放を伴わない遊技（例えば、通常遊技状態における遊技）よりも遊技者にとって有利である、と言える。ここにおける有利とは、大入賞口１１１の開放に伴い、遊技者がより多くの賞球を得やすい（得られる賞球の期待値が大きい）ことを意味する。
【００２６】
大当たり遊技中において特図判定は行われない。大当たり遊技状態では、右打ちによって遊技が行われる。右打ちとは、遊技領域１０３の内、遊技領域１０３を左右に分断する中心線の右側の遊技領域に遊技球が打ち出されることを指す。これに対し、左打ちとは、遊技領域１０３の内、上記中心線の左側の遊技領域に遊技球が打ち出されることを指す。左打ちでは、第１始動口１０５に対して遊技球を入賞させることができるが、第２始動口１０６及び大入賞口１１１に対して遊技球を入賞させることができないように遊技盤１０１が形成されている。右打ちでは、第２始動口１０６及び大入賞口１１１に対して遊技球を入賞させることができるが、第１始動口１０５に対して遊技球を入賞させることができないように遊技盤１０１が形成されている。また、ゲート１０８は、遊技領域１０３における右側領域であって、且つ、大入賞口１１１の上方に配置されている。故に、左打ちでは、ゲート１０８に対して遊技球を通過させることができず、右打ちによる遊技球のみがゲート１０８を通過しうる。
【００２７】
大当たり遊技の終了後、遊技機１００は特図判定を行う状態へ復帰する。この際、遊技機１００の遊技状態が変更されうる。
【００２８】
＜＜遊技機の遊技状態＞＞
遊技機１００は、大入賞口１１１の開放を伴う遊技状態（大当たり遊技状態を含む）を除いて、低確率非電サポ遊技状態（通常遊技状態）、低確率電サポ遊技状態、高確率非電サポ遊技状態、及び、高確率電サポ遊技状態の内の何れかの遊技状態をとり得て良い。遊技機１００の初期状態における遊技状態は、低確率非電サポ遊技状態である。遊技盤１０１の背面に設けられたＲＡＭクリアスイッチを用いて遊技機１００の遊技情報を初期化することで、遊技機１００は初期状態となる。
【００２９】
低確率非電サポ遊技状態及び低確率電サポ遊技状態は低確率遊技状態に属する。高確率非電サポ遊技状態及び高確率電サポ遊技状態は高確率遊技状態に属する。特図判定にて大当たりに当選したと判定される確率は、低確率遊技状態においてよりも高確率遊技状態においての方が高い。故に、大当たりの当選し易さ（大当たり遊技の行われ易さ）に関して高確率遊技状態は低確率遊技状態よりも遊技者に有利である。
【００３０】
低確率電サポ遊技状態及び高確率電サポ遊技状態は、電サポ遊技状態に属する。電サポ遊技状態において、遊技機１００は、電動チューリップ１０７の開閉を伴う遊技サポート機能（以下「電サポ」という）を付与する（即ち電サポを発動させる）。電サポが付与されたとき、そうでない時と比べて、普通図柄の変動時間の短縮、普図判定における普図当たりの当選確率の増加（従って、電動チューリップ１０７の開放頻度の増加）、及び、電動チューリップ１０７の開放時間の増加が図られ、結果、電サポ遊技状態では、電サポが付与されない非電サポ遊技状態に比べて、第２始動口１０６へ遊技球が入賞しやすくなる。電サポ遊技状態では、上述した右打ちによって遊技が行われ、特図判定の契機は主として第２始動口１０６への入賞となる。
【００３１】
低確率非電サポ遊技状態及び高確率非電サポ遊技状態は、電サポが付与されない非電サポ遊技状態に属する。非電サポ遊技状態では、上述した左打ちによって遊技が行われ、特図判定の契機は主として第１始動口１０５への入賞となる。上述の説明からも理解されるように、電サポ遊技状態は非電サポ遊技状態よりも相対的に始動条件（第２始動条件）が成立しやすい遊技状態である。従って、始動条件の成立しやすさに関して電サポ遊技状態は非電サポ遊技状態よりも遊技者に有利である。
【００３２】
＜＜遊技機の内部構成＞＞
図２を参照して、遊技機１００の内部構成を説明する。図２は、遊技機１００内の、制御に関わる部分のブロック図である。図２に示す如く、遊技機１００に設けられた制御部４００は、遊技の進行を制御する主制御部４０１と、賞球の払い出しを制御する賞球制御部４０２と、演出内容を制御する演出制御部４０３とを備えている。制御部４００の他、図２に示される各構成要素が遊技機１００に設けられる。
【００３３】
［１．主制御部］
主制御部４０１は、メインＣＰＵ（Central Processing Unit）４１１と、メインＲＯＭ（Read Only Memory）４１２と、メインＲＡＭ（Random Access Memory）４１３を備える。メインＲＯＭ４１２には、テーブルＴＡｔ、ＴＺｔ、ＴＨｔ及びＤＫｔを含むテーブル群などが格納され、メインＲＡＭ４１３には、記憶領域４１３ａ及び４１３ｂを含む記憶領域群などが設けられている。
【００３４】
また、主制御部４０１には、遊技球を検出する各種スイッチ（以下「ＳＷ」と略すことがある）が接続されている。具体的には図３に示すように、主制御部４０１には、第１始動口１０５、第２始動口１０６、大入賞口１１１、普通入賞口１１２へ入賞した遊技球を検出する第１始動口ＳＷ４１４ａ、第２始動口ＳＷ４１４ｂ、大入賞口ＳＷ４１６、普通入賞口ＳＷ４１７と、ゲート１０８を通過した遊技球を検出するゲートＳＷ４１５とが接続されており、各ＳＷの検出結果を示す検出信号が主制御部４０１へ送られる。
【００３５】
また、主制御部４０１には、遊技盤１０１上の電動役物を駆動させる各種ソレノイドが接続されている。具体的には図３に示すように、主制御部４０１には、電動チューリップ１０７を開閉動作させる電動チューリップソレノイド４２０と、大入賞口１１１を開閉動作させる大入賞口ソレノイド４２１が接続されている。主制御部４０１は、普図判定の結果に基づき電動チューリップソレノイド４２０を用いて電動チューリップ１０７の開閉動作を実現し、特図判定の結果に基づき大入賞口ソレノイド４２１を用いて大入賞口１１１の開閉動作を実現する。また、主制御部４０１には、情報表示部１１４が接続される。主制御部４０１は、特図判定の結果、普図判定の結果並びに保留情報数Ｕ１、Ｕ２及びＵ３に基づき情報表示部１１４の表示制御を行う。
【００３６】
［１−１．メイン処理］
図３を参照し、主制御部４０１が行う主だった処理を列記する。遊技機１００へ電力が供給されると、メインＣＰＵ４１１によりメイン処理が実行される。メイン処理では、主制御部４０１内の各種デバイスの初期設定処理及びバックアップ情報の生成処理などを行い、それらの処理結果をメインＲＡＭ４１３に記憶させる。
【００３７】
［１−２．タイマ割込処理］
メインＣＰＵ４１１は、メイン処理にて設定された周期（例えば数ミリ秒又はそれ以下の周期）で、メイン処理に対しタイマ割込処理を割り込み実行する（図４参照）。タイマ割込処理において、メインＣＰＵ４１１は、乱数更新処理、スイッチ処理、特別図柄処理、普通図柄処理、電動役物制御処理、賞球処理及び出力処理を順次実行する。
【００３８】
［１−２−１．乱数更新処理］
主制御部４０１には、特図当たり乱数をカウントする特図当たり乱数カウンタＣ１、特図図柄乱数をカウントする特図図柄乱数カウンタＣ２、特図変動パターン乱数をカウントする特図変動パターン乱数カウンタＣ３、普図当たり乱数をカウントする普図当たり乱数カウンタＣ４及び普図図柄乱数をカウントする普図図柄乱数カウンタＣ５が設けられており、乱数更新処理においては、各乱数カウンタのカウント値に「１」を加算することで各乱数カウンタのカウント値を更新する。乱数カウンタＣ１〜Ｃ５のそれぞれにおいて、カウンタのカウント値が所定の上限値を超えたときには、当該カウンタのカウント値を「０」に戻し、その後、同様のカウントアップを行う。なお、本実施形態における任意の乱数は、特に記述無き限り、整数値のみをとる。
【００３９】
［１−２−２．スイッチ処理］
スイッチ処理を説明する（図４参照）。スイッチ処理において、メインＣＰＵ４１１は、始動口スイッチ処理、ゲートスイッチ処理、大入賞口スイッチ処理及び普通入賞口スイッチ処理を順次実行する。
【００４０】
始動口スイッチ処理において、メインＣＰＵ４１１は、始動口ＳＷ４１４ａ及びＳＷ４１４ｂを用い、始動口１０５又は１０６への遊技球の入賞が検出されたタイミング（即ち、第１又は第２始動条件の成立タイミング）でカウンタＣ１〜Ｃ３のカウント値を取得し、取得したカウンタＣ１〜Ｃ３のカウント値を特図当たり乱数、特図図柄乱数及び特図変動パターン乱数として含んだ特図判定用情報を特図判定用情報記憶領域４１３ａに記憶させる。記憶領域４１３ａは、第１始動条件の成立に基づく特図判定用情報及び第２始動条件の成立に基づく特図判定用情報のそれぞれを、所定数を上限として記憶することができる。ここでは、その所定数が４であるとする。従って、記憶領域４１３ａは、最大８つまでの特図判定用情報を記憶することができる。記憶領域４１３ａ内における、第１、第２始動条件の成立を契機とした特図判定用情報の個数が、それぞれ、上記の保留情報数Ｕ１、Ｕ２に相当する。また、記憶領域４１３ａに記憶された各特図判定用情報に対し、特図判定を受けるための優先順位が設定されている。基本的に、時間的に先に取得された特図判定用情報に対しより高い優先順位が設定される。但し、第１始動条件の成立によって取得された特図判定用情報と比べ、第２始動条件の成立によって取得された特図判定用情報に対し、より高い優先順位が設定されるものとする。始動口スイッチ処理の中で実行される事前判定処理については後述する。
【００４１】
ゲートスイッチ処理において、メインＣＰＵ４１１は、ゲート１０８への遊技球の通過が検出されたタイミングでカウンタＣ４及びＣ５のカウント値を取得し、取得したカウンタＣ４及びＣ５のカウント値を普図当たり乱数及び普図図柄乱数として含んだ普図判定用情報を普図判定用情報記憶領域４１３ｂに記憶させる。記憶領域４１３ｂは、所定数を上限として普図判定用情報を記憶することができる。ここでは、その所定数が４であるとする。記憶領域４１３ｂ内における普図判定用情報の個数が上記の保留情報数Ｕ３に相当する。記憶領域４１３ｂに記憶された各普図判定用情報に対し普図判定を受けるための優先順位が設定されている。時間的に先に取得された普図判定用情報に対しより高い優先順位が設定される。
【００４２】
大入賞口スイッチ処理において、メインＣＰＵ４１１は、大入賞口１１１に入賞した遊技球を大入賞口ＳＷ４１６により検出する。普通入賞口スイッチ処理において、メインＣＰＵ４１１は、普通入賞口１１２に入賞した遊技球を普通入賞口ＳＷ４１７により検出する。
【００４３】
［１−２−３．特別図柄処理］
特別図柄処理において、メインＣＰＵ４１１は、特図判定用情報記憶領域４１３ａに記憶されている特図判定用情報の内、優先順位が最も高く設定された特図判定用情報を判定対象ＴＴとして取得し、判定対象ＴＴに対して特図判定を実行する。この際、判定対象ＴＴとなった特図判定用情報は記憶領域４１３ａから消去される。特図判定は特図当たり判定、特図図柄判定及び特図変動パターン判定から成る。そして、特別図柄処理では、特図変動パターン判定により選択された特図変動パターンが示す変動時間だけ特別図柄の変動表示を行った後、特図当たり判定及び特図図柄判定の判定結果を示す態様で特別図柄を停止させる。特図判定の結果をメインＲＡＭ４１３に記憶させることができる。なお、特別図柄処理において、記憶領域４１３ａに特図判定用情報が記憶されていない場合には、特図判定が行われることなく特別図柄処理を終える。また、特別図柄の変動表示が行われているとき及び大入賞口１１１の開放を伴う遊技が行われているときにも、特図判定は行われない。
【００４４】
メインＣＰＵ４１１は、特別図柄の変動表示を開始する際、特図判定の結果を含む変動開始コマンドをメインＲＡＭ４１３に設定することを通じて演出制御部４０３に対し変動演出の実行開始を指示し、特別図柄の変動を停止する際、変動停止コマンドをメインＲＡＭ４１３に設定することを通じて演出制御部４０３に対し変動演出の実行終了を指示する。ＲＡＭ４１３に設定されたこれらのコマンドは、後述の出力処理（図３参照）において演出制御部４０３に出力される。
【００４５】
図４を参照し、低確率特図当たり判定テーブルＴＡｔ１及び高確率特図当たり判定テーブルＴＡｔ２を含む特図当たり判定テーブルＴＡｔを用いて、特図当たり判定が行われる。テーブルＴＡｔ１及びＴＡｔ２のそれぞれは、大当たりに対応付けられた所定の判定値を有して構成される。メインＣＰＵ４１１は、特図当たり判定時に、高確率遊技フラグがＯＦＦに設定されていた場合にはテーブルＴＡｔ１を用いて特図当たり判定を行い、高確率遊技フラグがＯＮに設定されていた場合にはテーブルＴＡｔ２を用いて特図当たり判定を行う。そして、メインＣＰＵ４１１は、判定対象ＴＴの特図当たり乱数が大当たりに対応づけられた判定値と一致した場合には大当たりに当選したと判定し、そうでない場合にはハズレである（即ち大当たりに当選していない）と判定する。遊技機１００の遊技状態は、高確率遊技フラグがＯＮであるときに高確率遊技状態であり、高確率遊技フラグがＯＦＦであるときに低確率遊技状態である。ここでは、大当たりの当選確率（即ち大当たり遊技を行うと判定される確率）が、低確率遊技状態、高確率遊技状態において、それぞれ、１／３００、１／３０となるように、特図当たり判定テーブルＴＡｔが形成されているものとする。
【００４６】
また、小当たりが発生し得るように遊技機１００が形成されていても良く、この場合、メインＣＰＵ４１１は特図当たり判定において小当たりの当落も判定する。小当たりは、大当たりではなく、通常のハズレ（小当たり以外のハズレ）とは異なる態様の特別図柄で表される特定のハズレである。メインＣＰＵ４１１は、判定対象ＴＴの特図当たり乱数が小当たりに対応づけられた判定値と一致した場合に小当たりに当選したと判定する。例えば、高確率遊技フラグのＯＮ／ＯＦＦに依存せず、小当たりの当選確率を１／３９９とすることができる。
【００４７】
特図図柄判定において、メインＣＰＵ４１１は、特図図柄判定テーブルＴＺｔと判定対象ＴＴの特図図柄乱数とを比較し、比較結果に基づいて、特別図柄をどのような図柄で停止させるかを判定する。大当たりには複数の種類が存在し、大当たりの当選時においては、当該比較結果に基づいて大当たりの種類が判定されることになる。
【００４８】
特図変動パターン判定において、特図変動パターンテーブルＴＨｔと判定対象ＴＴの特図当たり乱数、特図図柄乱数及び特図変動パターン乱数とに基づき、判定対象ＴＴに対する特図変動パターンを判定する。特図変動パターンの判定は特図変動パターンの選択又は設定と同義である。特図変動パターンテーブルＴＨｔには複数の特図変動パターンが含まれており、特図変動パターン判定において判定対象ＴＴに対する１つの特図変動パターンが選択される。各特図変動パターンは、特別図柄の変動態様を定義したものであり、例えば、特別図柄の変動時間（特別図柄の変動表示が行われる時間の長さ）を定義している。
【００４９】
［始動口スイッチ処理の中の事前判定処理］
また、始動口スイッチ処理の中でメインＣＰＵ４１１は事前判定処理を実行する（図４参照）。事前判定処理において、メインＣＰＵ４１１は、特図判定用情報記憶領域４１３ａに記憶されて保留されることとなる特図判定用情報を事前判定対象として設定し、事前判定対象に対して特図当たり判定、特図図柄判定及び特図変動パターン判定を順次実行する。事前判定対象に対する特図当たり判定、特図図柄判定及び特図変動パターン判定（これらの判定を総称して事前判定とも称する）の方法は、判定対象ＴＴに対するそれらの方法と同じである。事前判定の結果はメインＲＡＭ４１３に記憶される。事前判定の結果は保留増加コマンド（事前判定コマンドとも称せられる）に含められ、保留増加コマンドがメインＲＡＭ４１３に設定されて、後述の出力処理にて演出制御部４０３に送信される。保留増加コマンドには、事前判定の結果の他、保留情報数Ｕ１及びＵ２のどちらが増加したのかを示す情報が含まれる。或る特図判定用情報に対する事前判定処理は、その特図判定用情報が取得されたときに、それが記憶領域４１３ａに記憶される前に始動口スイッチ処理の中で実行される。故に、任意の特図判定用情報に対する事前判定は、その特図判定用情報に対して特図判定が実行される前に実行される。故に、任意の特図判定用情報に対する事前判定は、その特図判定用情報に対して特図判定が実行される前に実行される。
【００５０】
［１−２−４．普通図柄処理］
普通図柄処理（図３参照）を説明する。普通図柄処理において、メインＣＰＵ４１１は、普図判定用情報記憶領域４１３ｂ内で最も優先順位を高く設定された普図判定用情報を普図判定対象ＦＦとして取得して、メインＲＯＭ４１２内の普図判定用テーブルと普図判定対象ＦＦなどに基づき、普図当たり判定、普図図柄判定及び普図変動パターン判定から成る普図判定を実行し、普図判定の結果に基づいて普通図柄の変動表示及び停止表示を行わせる。普図判定対象ＦＦとなった普図判定用情報は記憶領域４１３ｂから消去される。なお、普通図柄処理において、記憶領域４１３ｂに普図判定用情報が記憶されていない場合には、普図判定が行われることなく普通図柄処理を終える。また、普通図柄の変動表示が行われているとき及び電動チューリップ１０７を開放させる遊技（補助遊技）が行われているときにも、普図判定は行われない。普図当たり判定では、普図当たりに当選したか否かが判定される。普図当たりに当選した場合、普図図柄判定により普図当たりの種類が判定される。普図当たりには、長開放当たりと短開放当たりとがある。電動チューリップ１０７が開状態とされる時間は、長開放当たりの方が短開放当たりよりも長い。メインＣＰＵ４１１は、普図変動パターン判定の結果に基づく変動時間だけ普通図柄の変動表示を行った後、普図当たり判定及び普図図柄判定の結果を示す態様で普通図柄を停止表示させる。
【００５１】
［１−２−５．電動役物制御処理］
電動役物制御処理（図３参照）では、大入賞口処理及び電チュー処理が順次実行される。大入賞口処理では、特図判定の結果が大当たりの当選を示しているときに、大当たりの種類に応じた大入賞口開放パターンを用いて大入賞口１１１が開閉動作される。大入賞口開放パターンテーブルＤＫｔには、大入賞口１１１の開放態様を定義した大入賞口開放パターンが大当たりの種類ごとに格納されている。小当たりが発生し得るように遊技機１００が形成されている場合、小当たり用の大入賞口開放パターンも大入賞口開放パターンテーブルＤＫｔに格納され、特図判定の結果が小当たりの当選を示しているときには小当たり用の大入賞口開放パターンを用いて大入賞口１１１が開閉動作される。メインＣＰＵ４１１は、テーブルＤＫｔを参照して大入賞口処理を実現する。
【００５２】
大入賞口１１１の開放を伴う大当たり遊技は、大当たりを示す態様で特別図柄が停止表示された後に開始される。大当たり遊技では、大入賞口１１１の開放時間が規定最大開放時間（所定時間；例えば３０秒）に達するまで又は大入賞口１１１への遊技球の入賞数が所定値（例えば１０個）に達するまで大入賞口１１１を開放させるラウンド遊技が、所定のインターバル期間（換言すればインターバル時間）を隔ててＲｍａｘ回実行される。従って、大当たり遊技はＲｍａｘ分のラウンド遊技を含んで構成されると考えることができる。Ｒｍａｘは、大当たりの種類に応じたラウンド数を表す。そして、最後のラウンド遊技が終了してから所定のエンディング期間（換言すればエンディング時間；例えば５秒）が経過すると、特図判定が実行可能な遊技状態に復帰する。
【００５３】
また、大当たり遊技の実行中又は大当たり遊技の後、大入賞口処理の中で遊技状態設定処理（図３参照）が実行される。遊技状態設定処理において、メインＣＰＵ４１１は、メインＲＡＭ４１３に記憶された、高確率遊技フラグ及び電サポ遊技フラグを含む各種遊技フラグの状態を設定する。上述したように、遊技機１００の遊技状態は、高確率遊技フラグがＯＮであるときに高確率遊技状態であり、高確率遊技フラグがＯＦＦであるときに低確率遊技状態である。遊技機１００の遊技状態は、電サポ遊技フラグがＯＮであるときに電サポ遊技状態であり、電サポ遊技フラグがＯＦＦであるときに非電サポ遊技状態である。大当たりの発生に応答して実行される大入賞口処理中の遊技状態設定処理では、大当たり発生時の遊技状態や発生した大当たりの種類などに応じて、高確率遊技フラグ及び電サポ遊技フラグのＯＮ／ＯＦＦが設定される他、高確率遊技状態が維持される特別図柄の残りの変動回数を示す高確率遊技残回数Ｘ及び電サポ遊技状態が維持される特別図柄の残りの変動回数を示す電サポ遊技残回数ＪがメインＲＡＭ４１３に設定される。
【００５４】
遊技状態設定処理にて設定された高確率遊技残回数Ｘは、“Ｘ≧１”であるとき特図判定が１回実行されるごとに“１”だけ減算され、“Ｘ＝０”となると高確率遊技フラグにＯＦＦが設定されて遊技機１００の遊技状態は低確率遊技状態となる。遊技状態設定処理にて設定された電サポ遊技残回数Ｊは、“Ｊ≧１”であるとき特図判定が１回実行されるごとに“１”だけ減算され、“Ｊ＝０”となると電サポ遊技フラグにＯＦＦが設定されて遊技機１００の遊技状態は非電サポ遊技状態となる。ただし、特図判定の実行によりＪ＝１からＪ＝０となった後、当該特図判定の結果を示す態様で特別図柄が停止表示されるまでは電サポ遊技状態を維持し、該停止表示後に非電サポ遊技状態とすることができる。遊技機１００の初期状態において、高確率遊技フラグ及び電サポ遊技フラグはＯＦＦであり且つ回数Ｘ及びＪには“０”が設定されている。
【００５５】
なお、小当たりに当選した場合も、大入賞口１１１の開放を伴う遊技（これを小当たり遊技という）が実行されるが、主制御部４０１は、小当たりの当選を契機として遊技機１００の遊技状態（大当たりの当選確率及び電サポ付与の有無）を変化させない。つまり、小当たりの当選の前後間で遊技機１００の遊技状態（大当たりの当選確率及び電サポ付与の有無）は変化しない。小当たり遊技では、例えば、大入賞口１１１のショート開放時間（例えば０．２秒）による開放が複数回繰り返される。
【００５６】
電チュー処理において、メインＣＰＵ４１１は、普図判定の結果に基づき電動チューリップ１０７を開閉動作させる。普図当たりに当選した場合に、所定時間、電動チューリップ１０７が開状態とされる。
【００５７】
［１−２−６．賞球処理］
賞球処理において、メインＣＰＵ４１１は、第１始動口１０５、第２始動口１０６、大入賞口１１１、普通入賞口１１２の各入賞口への入賞に対して所定個数の賞球を払い出させるための払い出し指示を賞球コマンドとしてメインＲＡＭ４１３に設定する。
【００５８】
［１−２−７．出力処理］
出力処理において、メインＣＰＵ４１１は、メインＲＡＭ４１３に記憶又は設定された情報（上述の各コマンドを含む）などを、主制御部４０１に接続された各制御部（賞球制御部４０２及び演出制御部４０３を含む）に対して出力する。賞球に関するコマンドは賞球制御部４０２に出力され、演出に関するコマンドは演出制御部４０３に出力される。出力処理において、メインＣＰＵ４１１は自身が認識又は保持している任意の情報（例えば、電サポ遊技フラグ及び高確率遊技フラグの状態を示す情報）を演出制御部４０３に伝達できても良い。出力処理の終了によってタイマ割込処理も終了し、タイマ割込処理の終了によってメインＣＰＵ４１１が実行する処理はメイン処理に戻る（図３参照）。
【００５９】
また、図２に示すように、主制御部４０１には盤用外部情報端子基板４９１が接続されており、主制御部４０１は、メインＲＡＭ４１３内の記憶内容を示す情報を、基板４９１を通じて外部（例えば遊技施設のホールコンピュータ）に出力することができる。
【００６０】
［２．賞球制御部］
賞球制御部４０２（図２参照）は、ＣＰＵ、ＲＯＭ及びＲＡＭを備えて構成され、主制御部４０１からの払い出し指示（賞球コマンド）に基づき、払出部４２９を用いて賞球の払い出しを行う。賞球制御部４０２には、遊技球を検出する各種ＳＷが接続されている。具体的には図２に示すように、賞球制御部４０２には、所定位置の遊技球を検出する定位置検出ＳＷ４２４と、払い出した遊技球を検出する払出球検出ＳＷ４２５と、上皿１２３内に遊技球があるかを検出する球有り検出ＳＷ４２６と、上皿１２３及び下皿１２５が遊技球で満たされていることをそれぞれに検出する満タン検出ＳＷ４２７が接続されており、各ＳＷの検出結果を示す検出信号が賞球制御部４０２へ送られる。賞球制御部４０２は、主制御部４０１から出力された払い出し指示や、ＳＷ４２４〜４２７から入力される検出信号に基づき、賞球を払い出したり、賞球の払い出しをやめたりする。また、賞球制御部４０２はＳＷ４２４〜４２７からの検出信号を主制御部４０１へ出力しても良い。
【００６１】
また、賞球制御部４０２には、発射部４２８が接続される。賞球制御部４０２は、発射部４２８に対する遊技球の発射の操作（遊技者による操作）を検出して遊技球の発射を制御する。発射部４２８は、遊技のための遊技球を発射するものであり、遊技者による遊技操作を検出するセンサと、遊技球を発射させるソレノイドなどを備える。賞球制御部４０２は、発射部４２８のセンサにより遊技操作を検出すると、検出された遊技操作に対応してソレノイド等を駆動させて遊技球を間欠的に発射させ、遊技盤１０１の遊技領域１０３に遊技球を打ち出す。また、賞球制御部４０２には枠用外部情報端子基板４９２が接続されており、賞球制御部４０２が取り扱う各種情報を、基板４９２を通じて外部に出力することができる。
【００６２】
［３．演出制御部］
演出制御部４０３は、サブＣＰＵ４３１、サブＲＯＭ４３２及びサブＲＡＭ４３３を備えて構成される（図２参照）。演出制御部４０３は、画像表示部１０４の表示制御やスピーカ１１５の音声出力制御を行う画像／音声制御部（不図示）と、演出ライト部１１６及び遊技盤１０１上の盤ランプ１３５の点灯制御並びに枠可動役物１１７及び盤可動役物１３０の駆動制御を行うランプ制御部（不図示）などを備える。また、演出制御部４０３には、遊技者からの操作を受け付ける演出ボタン１２１及び十字キー１２２が接続されている。演出制御部４０３は、演出ボタン１２１及び十字キー１２２に対する遊技者からの入力操作内容に応じた演出を行うことができる。
【００６３】
演出制御部４０３は、変動演出を含む任意の演出を、演出実現要素（演出手段）を用いて実現する。即ち、演出制御部４０３は、演出実現要素を制御することで演出実現要素に所望の演出を行わせる（この表現における演出の主体は演出実現要素であるが、本実施形態の説明では、主として、演出制御部４０３が演出の主体であると捉える）。演出実現要素は、画像表示部１０４、スピーカ１１５、演出ライト部１１６、枠可動役物１１７、演出ボタン１２１、盤ランプ１３５及び盤可動役物１３０の全部又は一部を含む。変動演出は、特別図柄の変動表示中において演出制御部４０３により実行される演出を指し、特図判定の判定結果を示唆する演出を含む。特別図柄の変動開始時又は特別図柄の変動終了時において演出制御部４０３により実行される演出も変動演出に含まれると解することも可能である。なお、演出による示唆、報知、告知又は通知等は、特に記述無き限り、遊技者に対するものと考えて良い。また、特に記述無き限り、演出制御部４０３の制御による任意の画像及び図柄（装飾図柄等）の表示は、画像表示部１０４におけるそれらの表示を指し、音、音声の出力とはスピーカ１１５からの音、音声の出力を指す。
【００６４】
図５を参照し、演出制御部４０３が行う主だった処理を列記する。演出制御部４０３へ電力が供給されると、サブＣＰＵ４３１により演出メイン処理が実行される。演出メイン処理では、演出制御部４０３内の各種デバイスの初期設定などを行って設定結果をサブＲＡＭ４３３に記憶させる。サブＣＰＵ４３１は、演出メイン処理にて設定された周期で、演出メイン処理に対し演出タイマ割込処理を割り込み実行する。演出タイマ割込処理において、サブＣＰＵ４３１は、演出用乱数更新処理、コマンド受信処理及び操作受付処理を順次実行する。
【００６５】
演出制御部４０３には、演出用乱数をカウントする演出用乱数カウンタが設けられており、演出用乱数更新処理においては、演出用乱数カウンタのカウント値に「１」を加算することで演出用乱数カウンタのカウント値を更新する。演出用乱数カウンタにおいて、カウント値が所定の上限値を超えたときには、当該カウント値を「０」に戻し、その後、同様のカウントアップを行う。演出用乱数カウンタのカウント値を、各種演出で利用される演出用乱数の値として参照することができる。
【００６６】
コマンド受信処理において、サブＣＰＵ４３１は、特図演出処理、普図演出処理及び当たり演出処理を実行する。
【００６７】
特図演出処理は、演出開始処理及び演出終了処理を含む。サブＣＰＵ４３１は、主制御部４０１からの変動開始コマンドの受信に応答して演出開始処理を実行することで変動演出を開始した後、主制御部４０１からの変動停止コマンドの受信に応答して演出終了処理を実行することで変動演出を終了する。演出開始処理には変動演出内容決定処理が内包される。変動演出内容決定処理において、サブＣＰＵ４３１は、演出用乱数や主制御部４０１より受信したコマンド等に基づき変動演出の内容を決定する。具体的には例えば、各々に変動演出の内容を定義した複数の変動演出パターン（特図変動演出パターン）を含む変動演出パターンテーブル（特図変動演出パターンテーブル）が予めサブＲＯＭ４３２に格納されており、変動演出内容決定処理において、変動開始コマンド等に基づき、当該変動演出パターンテーブルから１つの変動演出パターンを選択及び判定することで変動演出の内容を決定する。
【００６８】
また、サブＣＰＵ４３１は、主制御部４０１から保留増加コマンドを受信したとき、コマンド受信処理において、保留増加コマンドに基づく情報をサブＲＡＭ４３３に記憶すると共に保留増加処理を行う。保留増加処理では、事前判定対象に対応する保留画像を画像表示部１０４に追加表示する。事前判定対象に対応する保留画像は、後に、その事前判定対象が判定対象ＴＴとなって変動開始コマンドが受信された際に、画像表示部１０４から消去される又は特定の表示位置にシフトされる。サブＣＰＵ４３１は、保留増加コマンドに基づき、事前判定対象についての先読み予告演出を行うこともできる。
【００６９】
普図演出処理（図５参照）は、主制御部４０１から普通図柄に関するコマンドが受信された場合に、サブＣＰＵ４３１により実行される。普通図柄の変動開始時及び終了時において主制御部４０１から普通図柄に関するコマンドが演出制御部４０３に送信される。普図演出処理では、普通図柄の変動時における普図演出が実行される。
【００７０】
当たり演出処理（図５参照）は、主制御部４０１から当たり演出に関するコマンドが受信された場合にサブＣＰＵ４３１により実行される。即ち例えば、判定対象ＴＴが大当たり又は小当たりに当選していて大当たり又は小当たりを示す態様で特別図柄及び装飾図柄の停止表示が行われると、当たり演出に関するコマンドが主制御部４０１から演出制御部４０３に送信され、サブＣＰＵ４３１は該コマンドの受信結果に基づき大当たり遊技中又は小当たり遊技中に行われるべき当たり演出を実行する。
【００７１】
操作受付処理（図５参照）において、サブＣＰＵ４３１は、演出ボタン１２１又は十字キー１２２からの信号に基づき、遊技者による演出ボタン１２１又は十字キー１２２への操作状態（操作の入力有無及び操作の内容）を認識する。演出制御部４０３は、認識された操作状態に応じた演出を行うことができる。
【００７２】
＜＜大当たりの種類＞＞
図６は、本実施形態で想定される大当たりの種類を示す図である。本実施形態では、大当たりの種類として特Ａ、特Ｂ、通Ａ、特Ｃ、特Ｄ及び通Ｂがある。特Ａ、通Ａ、特Ｃ及び通Ｂのラウンド数は７であり、特Ｂ及び特Ｄのラウンド数は１６である。ラウンド数が大きいほど、大当たり遊技において大入賞口１１１への入賞により得ることのできる賞球数が多いため、遊技者にとって、より有利である。第１特別図柄についての特図当たり判定において（第１始動条件の成立に基づく特図当たり判定において）、大当たりに当選したとき、その大当たりが、特Ａ、特Ｂ、通Ａとなる割合は、それぞれ、６０％、５％、３５％である。第２特別図柄についての特図当たり判定において（第２始動条件の成立に基づく特図当たり判定において）、大当たりに当選したとき、その大当たりが、特Ｃ、特Ｄ、通Ｂとなる割合は、それぞれ、３０％、３５％、３５％である。第１、第２特別図柄についての大当たりの種類が上述した割合で定まるように、特図図柄判定テーブルＴＺｔが形成される。
【００７３】
特Ａ〜特Ｄの何れかの大当たり遊技の終了後、メインＣＰＵ４１１は、遊技機１００の遊技状態を高確率電サポ遊技状態に設定し、その後、次回の大当たり（即ち、直前に発生した大当たりから見て次の大当たり）が発生することなく、特別図柄の変動回数（即ち特別図柄が変動表示を介して変動停止した回数）が高確率付与回数以上且つ電サポ付与回数以上になると、遊技機１００の遊技状態を低確率非電サポ遊技状態に設定する。
【００７４】
高確率付与回数とは、高確率遊技状態が維持される特別図柄の変動回数を指す。つまり、或る大当たりに関し、大当たり遊技の終了後において、特別図柄がｉｋ回分だけ変動する間、遊技状態が高確率遊技状態とされ且つ特別図柄がｉｋ回分だけ変動した後は低確率遊技状態とされるとき、当該大当たりに対応する高確率付与回数はｉｋ回である（ｉｋは整数）。低確率遊技状態と比べて高確率遊技状態では大当たりが発生しやすくなるため、高確率付与回数が多いほど遊技者にとって有利である。
【００７５】
電サポ付与回数とは、電サポ遊技状態が維持される特別図柄の変動回数を指す。つまり、或る大当たりに関し、大当たり遊技の終了後において、特別図柄がｉｄ回分だけ変動する間、遊技状態が電サポ遊技状態とされ且つ特別図柄がｉｄ回分だけ変動した後は非電サポ遊技状態とされるとき、当該大当たりに対応する電サポ付与回数はｉｄ回である（ｉｄは整数）。非電サポ遊技状態と比べて電サポ遊技状態では始動条件が成立し易くなるため、電サポ付与回数が多いほど遊技者にとって有利である。
【００７６】
特Ａ〜特Ｄの大当たりに対する高確率付与回数及び電サポ付与回数は共に１００００回である（図６参照）。故に、特Ａ〜特Ｄの何れかの大当たり遊技の終了後、他の大当たりが発生することなく、特別図柄の変動回数が１００００回に達すると（換言すれば特図判定が１００００回行われると）、遊技機１００の遊技状態は高確率電サポ遊技状態から低確率非電サポ遊技状態に移行せしめられる。但し、高確率遊技状態における大当たりの当選確率は “１／３０”であるため、特Ａ〜特Ｄの何れかの大当たり遊技の終了後は、実質的に、次回の大当たりの当選まで、高確率電サポ遊技状態が維持されると言える。
【００７７】
通Ａ又は通Ｂの大当たり遊技の終了後、メインＣＰＵ４１１は、特別図柄が所定の電サポ付与回数分だけ変動するまで、遊技機１００の遊技状態を低確率電サポ遊技状態に設定し、特別図柄が所定の電サポ付与回数分だけ変動した後は、遊技機１００の遊技状態を低確率非電サポ遊技状態（即ち通常遊技状態）に設定する。但し、通Ａ又は通Ｂの大当たり遊技の終了後、次回の大当たりに当選した場合には、その次回に当選した大当たりの種類に応じ、次回の大当たり遊技の終了後の遊技状態が設定される。例えば、通Ａ又は通Ｂの大当たり遊技の終了後、特別図柄の第１変動目で特Ａの大当たりに当選したならば、特Ａの大当たり遊技の終了後、遊技機１００の遊技状態は高確率電サポ遊技状態に設定される。通Ａ及び通Ｂの大当たりに対する電サポ付与回数は２０回である。また、通Ａ又は通Ｂの大当たり遊技後は高確率遊技状態とならずに低確率電サポ遊技状態とされるのであるから、通Ａ及び通Ｂの大当たりに対する高確率付与回数は０回である。
【００７８】
特Ａ、特Ｂ、特Ｃ又は特Ｄの大当たりに伴う遊技状態設定処理では、高確率遊技フラグ及び電サポ遊技フラグが共にＯＮとされ且つ高確率遊技残回数Ｘ及び電サポ遊技残回数Ｊに共に「１００００」が設定される。
【００７９】
通Ａ又は通Ｂの大当たりに伴う遊技状態設定処理では、高確率遊技フラグがＯＦＦとされる一方で電サポ遊技フラグがＯＮとされ且つ高確率遊技残回数Ｘに「０」が設定される一方で電サポ遊技残回数Ｊに「２０」が設定される。
【００８０】
つまり、或る大当たりに伴って実行される遊技状態設定処理にて設定される高確率遊技残回数Ｘ及び電サポ遊技残回数Ｊは、それぞれ、当該大当たりに対応する高確率付与回数及び電サポ付与回数（図６参照）と一致している。
【００８１】
図６から分かるように、第２始動条件の成立による特図図柄判定は、第１始動条件の成立による特図図柄判定よりも遊技者にとって相対的に有利なものとなっている（即ち、より多くの賞球を得やすい）。ここにおける相対的に有利とは、第２始動条件の成立に基づき実行される大当たり遊技において大入賞口１１１への入賞により得られる賞球数の期待値が、第１始動条件の成立に基づき実行される大当たり遊技において大入賞口１１１への入賞により得られる賞球数の期待値よりも大きいことを意味する。“大当たり遊技において大入賞口１１１への入賞により得られる賞球数の期待値”を、大当たり遊技におけるラウンド数の期待値、又は、大当たり遊技における大入賞口１１１の総開放時間の最大値の期待値に読み替えても良い。
【００８２】
＜＜遊技機の動作について＞＞
次に、演出制御部４０３が行うことのできる幾つかの演出の流れなどについて説明する。以下では、説明の具体化及び明確化のため、特に記述無き限り、遊技機１００の遊技状態が低確率非電サポ遊技状態であって且つ判定対象ＴＴは第１始動条件の成立に基づいて取得された特図判定用情報であると想定する。但し、遊技機１００の遊技状態が低確率非電サポ遊技状態と異なる場合においても、また判定対象ＴＴが第２始動条件の成立に基づいて取得された特図判定用情報である場合においても、以下に示す各種演出を実行可能である。
【００８３】
演出制御部４０３は、変動演出において、特別図柄の変動表示の開始に同期して第１〜第ｎ装飾図柄の変動表示を開始した後、特別図柄の変動表示の停止に同期して判定対象ＴＴの特図判定の結果に応じた態様で第１〜第ｎ装飾図柄の変動表示を停止させる。ここでｎは、通常、２以上の任意の整数であるが、“ｎ＝１”でありうる。以下では、特に記述無き限り、ｎ＝３であるとする。
【００８４】
図７に示す如く、画像表示部１０４の表示領域内の中央には、第１〜第３装飾図柄が表示される。第１〜第３装飾図柄は、左図柄ＳＺＬ、右図柄ＳＺＲ及び中図柄ＳＺＣから成る。画像表示部１０４には、左図柄（第１装飾図柄）ＳＺＬが表示される左図柄表示領域、右図柄（第２装飾図柄）ＳＬＲが表示される右図柄表示領域及び中図柄（第３装飾図柄）ＳＺＣが表示される中図柄表示領域が設定される。左、右及び中図柄表示領域の内、画像表示部１０４に正対する遊技者から見て、左図柄表示領域が最も左に位置し、右図柄表示領域が最も右に位置する。
【００８５】
［保留画像、当該権利画像の表示］
図７に示す如く、画像表示部１０４の表示領域内の下側領域には、５つの位置ＨＰ０〜ＨＰ４が設定されている。任意の整数ｉについて、位置ＨＰｉ＋１は位置ＨＰｉの左側に隣接している。演出制御部４０３は、位置ＨＰ１〜ＨＰ４に１つずつ保留画像を表示することができる。また、演出制御部４０３は、変動演出において位置ＨＰ０に当該権利画像を表示することができる。以下では、第２始動条件の成立に基づく保留情報数Ｕ２はゼロであると仮定し、第１始動条件の成立に基づく保留情報数Ｕ１が０、１、２、３又は４であると考える。但し、以下に示す方法を第２始動条件の成立に基づく保留画像及び当該権利画像に対して適用することもできる。
【００８６】
１つの保留画像は、或る１つの特図判定用情報が特図判定用情報記憶領域４１３ａに記憶されていること、即ち、その特図判定用情報に対する特図判定（特別図柄処理における特図判定）の権利が保留されていることを示す画像である。保留されていた特図判定用情報に対して特図判定が行われることを“消化”と表現する。また、保留されている特図判定用情報又は保留画像を単に“保留”と称することもある。
【００８７】
或る注目した１つの特図判定用情報が判定対象ＴＴとなって該注目した特図判定用情報に対して特図判定（特別図柄処理における特図判定）が行われた後においても、即ち該注目した特図判定用情報に対する特図判定の権利が消化された後においても、その権利に応じた画像を位置ＨＰ０に表示することができ、その画像を当該権利画像（保０画像）と呼ぶ。注目した特図判定用情報に対する当該権利画像は、該注目した特図判定用情報に対する変動演出が行われているときに位置ＨＰ０に表示され、変動演出の終了前に又は変動演出の終了時に位置ＨＰ０から消去される（即ち非表示とされる）。以下では、当該権利画像は、変動演出の終了直前まで位置ＨＰ０に表示され、変動演出の終了時に位置ＨＰ０から消去されるものとする。
【００８８】
図７に、変動演出が行われているときに、位置ＨＰ１〜ＨＰ４のそれぞれに保留画像が表示されていると共に位置ＨＰ０に当該権利画像が表示されている様子を示す。以下では、位置ＨＰ１、ＨＰ２、ＨＰ３、ＨＰ４に表示された保留画像を、それぞれ、保１画像、保２画像、保３画像、保４画像と呼ぶ。保１〜保４画像を第１〜第４保留画像と呼んでも良い。また、当該権利画像は、特図判定用情報に対する特図判定の権利が保留されていることを示す画像ではないが、保１画像に対応する特図判定用情報が判定対象ＴＴとなったときに、保１画像が位置ＨＰ０にシフトして表示されるものである。そのため、説明の便宜上、当該権利画像を疑似保留画像又は保０画像とも呼び、保０画像（疑似保留画像）〜保４画像の何れかを又は保０画像〜保４画像を総称して保Ｘ画像と呼ぶ場合がある。
【００８９】
画像表示部１０４において、保留画像は、より右側に表示されているものから順に消化される。より正確には、画像表示部１０４においてより右側に表示されている保留画像に対応する特図判定用情報から順に消化される。従って例えば、第１始動条件の４回の順次成立により第１〜第４特図判定用情報が第１、第２、第３、第４特図判定用情報の順番で取得され、これによって特図判定用情報記憶領域４１３ａに第１〜第４特図判定用情報が記憶されたことを想定すると、第１、第２、第３、第４特図判定用情報に対応する保留画像としてそれぞれ保１画像、保２画像、保３画像、保４画像が表示されることになる。演出制御部４０３は、保留増加コマンドを受信したときに実行される保留増加処理において、位置ＨＰ１〜ＨＰ４の何れかに対して１つの保留画像を追加表示する。保留情報数Ｕ１が（ｉ−１）からｉに増加したことを示す保留増加コマンドが受信されたとき、保留増加処理において、位置ＨＰｉに１つの保留画像が追加表示される（ｉは整数）。
【００９０】
図８を参照し、保Ｘ画像の態様として複数の態様があり、保Ｘ画像は複数の態様の何れかにて表示される。ここでは、その複数の態様が、互いに異なる第１〜第４態様から成ると考える。保Ｘ画像における態様の相違又は変化は、保Ｘ画像の色、形状、模様などの相違又は変化を含むが、ここでは、色の相違又は変化が態様の相違又は変化に相当すると考える。更に説明の具体化のため、第１、第２、第３、第４態様の保Ｘ画像は、それぞれ、白の保Ｘ画像（白を基調とした色を持つ円形画像）、青の保Ｘ画像（青を基調とした色を持つ円形画像）、緑の保Ｘ画像（緑を基調とした色を持つ円形画像）、赤の保Ｘ画像（赤を基調とした色を持つ円形画像）であるとする。なお、青、緑、赤の保留画像を総称して色保留画像とも称する。
【００９１】
白、青、緑及び赤の保Ｘ画像の内、保Ｘ画像に対応付けられた信頼度は、赤の保Ｘ画像において最も高く、緑の保Ｘ画像において２番目に高く、青の保Ｘ画像において３番目に高く、白の保Ｘ画像において最も低い。従って、青、緑及び赤の保Ｘ画像の表示は、保Ｘ画像に対応する特図判定用情報の大当たりの期待度が、白の保Ｘ画像の表示よりも高いことを示唆する演出と言える。また、演出制御部４０３は、保留増加コマンドに基づき、事前判定対象についての保留画像として、青、緑及び赤の保Ｘ画像の表示を行う。
【００９２】
［リーチ演出］
演出制御部４０３は、変動演出において、第１〜第ｎ装飾図柄の内、第１〜第（ｎ−１）装飾図柄の変動表示を共通の図柄にて仮停止させた後、リーチ演出を行うことができる。なお、第１〜第（ｎ−１）装飾図柄の変動表示を共通の図柄にて仮停止させた態様を、リーチ目の態様とする。ここでは、説明の具体化のため、第１及び第２装飾図柄が左図柄及び右図柄であると考える。そうすると、演出制御部４０３は、左図柄及び右図柄の変動表示を共通の図柄にて仮停止させた後、リーチ演出を行うことができる。
【００９３】
装飾図柄の仮停止とは、厳密には装飾図柄を停止させていないが、遊技者に対しては、装飾図柄が停止したと認識させることが可能な態様で装飾図柄を画像表示部１０４上で微変動させる装飾図柄の変動表示態様である。具体的には例えば、第ｉ装飾図柄を数字“２”が記された図柄にて仮停止させるとは、第ｉ装飾図柄が数字“２”が記された図柄であることを遊技者が認識できるように、数字“２”が記された図柄を第ｉ装飾図柄として画像表示部１０４における所定表示領域内で振動させつつ所定時間以上継続表示させることを意味する（ｉは整数）。
【００９４】
リーチ演出は、判定対象ＴＴに対する大当たり遊技の実行の期待度が所定期待度ＫＴＲＥＦよりも高いことを示唆する演出である。大当たり遊技の実行の期待度（以下、大当たりの期待度とも言う）とは、注目した１つの特図判定用情報（ここでは判定対象ＴＴ）が大当たりに当選している確率（可能性）を表す。注目した１つの特図判定用情報に対して特定の演出が行われるのであれば、当該特図判定用情報に対する大当たりの期待度は、その特定の演出に対する大当たりの期待度（その特定の演出が割り当てられた特図判定用情報が大当たりに当選している確率）とも言える。所定期待度ＫＴＲＥＦは、予め定められた０以上且つ１未満の期待度であれば良く、例えば、大当たりの当選確率として予め定められた確率ＯＴＫを示す、又は、その確率ＯＴＫよりも大きな所定値（例えば、確率ＯＴＫの５倍）を示す。確率ＯＴＫは、特図判定が低確率遊技状態で行われたならば“１／３００”であり、特図判定が高確率遊技状態で行われたならば“１０／３００”である（図４参照）。変動演出において、リーチ演出の実行は、リーチ演出の非実行よりも判定対象ＴＴの大当たりの期待度が高いことを示唆している、と考えても良い。
【００９５】
図９を参照し、リーチ演出を含む変動演出では、第１〜第３装飾図柄（図９のＳＺＬ、ＳＺＲ、ＳＺＣに相当）の変動表示の開始後、任意の演出を経て、第１及び第２装飾図柄を共通の図柄（図９では数字「２」の図柄）にて揃えた状態で仮停止させ、その後、所定のリーチ演出を行う。リーチ演出では、例えば、遊技上の課題（主人公キャラクタが遊技上の敵キャラクタを倒す課題など）が発生し、その課題が達成されるか否かを示す演出が実行される。リーチ演出が行われる前において、第１及び第２装飾図柄を共通の図柄にて仮停止させる際、遊技者が第１及び第２装飾図柄を視認しやすいように第１及び第２装飾図柄が所定の大サイズで仮停止される。リーチ演出の実行中には、リーチ演出を見やすくするために共通の図柄にて揃えられた縮小サイズの第１及び第２装飾図柄が、例えば画像表示部１０４の左上隅及び（又は）右下隅で仮停止せしめられる（縮小サイズは上記大サイズよりも小さい）。リーチ演出の実行中、第３装飾図柄を縮小サイズで変動表示（第１及び第２装飾図柄よりも高速な変動表示）させるようにしても良い。
【００９６】
判定対象ＴＴが何れかの大当たりに当選している場合、遊技上の課題が達成される様子を表す演出（例えば主人公キャラクタが敵キャラクタに勝利する様子を表す動画像の表示）が行われると共に大サイズの第１〜第３装飾図柄がゾロ目の態様にて画像表示部１０４の中央付近に仮停止表示され、変動停止コマンドを受信すると大サイズの第１〜第３装飾図柄がゾロ目の態様にて停止表示される。これに対し、判定対象ＴＴがハズレである場合、遊技上の課題が達成されない様子を表す演出（例えば主人公キャラクタが敵キャラクタに敗北する様子を表す動画像の表示）が行われると共に大サイズの第１〜第３装飾図柄が非ゾロ目の態様にて画像表示部１０４の中央付近に仮停止表示され、変動停止コマンドを受信すると大サイズの第１〜第３装飾図柄が非ゾロ目の態様にて停止表示される。
【００９７】
ゾロ目とは、所定の有効ライン上において第１〜第３装飾図柄が共通の図柄で揃えられている状態（即ち大当たりを示す第１〜第３装飾図柄の組み合わせ）を指す。ゾロ目による第１〜第３装飾図柄の停止表示は大当たりの告知に相当する。これに対し、非ゾロ目とは、所定の有効ライン上において第１〜第３装飾図柄が共通の図柄で揃えられていない状態を指す。非ゾロ目による第１〜第３装飾図柄の停止表示はハズレの告知に相当する。すなわち、変動演出において、ゾロ目の態様にて大サイズの第１〜第３装飾図柄を停止する演出は、大当たりを告知する演出である。また、非ゾロ目の態様にて大サイズの第１〜第３装飾図柄を停止する演出は、ハズレを告知する演出である。
【００９８】
図９に示すリーチ演出はリーチ演出の一例に過ぎない。遊技機１００では、互いに内容が異なる複数のリーチ演出を実行してもよい。リーチ演出は、遊技状態が特別な遊技状態（特別遊技状態）である大当たり遊技状態になる可能性が高いことを示唆する特別演出の一つである。
【００９９】
［大当たりの期待度（信頼度）］
或る１つの特図判定用情報Ｑ１に対して実行される演出Ｑ２は、大当たりの期待度を示唆しうる。任意の１つの特図判定用情報Ｑ１に関して、特図当たり判定の結果が“ハズレ”であって且つ特図判定用情報Ｑ１に対して演出Ｑ２が実行される確率を“ｒ”で表し、特図当たり判定の結果が“大当たり”であって且つ特図判定用情報Ｑ１に対して演出Ｑ２が実行される確率を“ｖ”で表す。そうすると、特図判定用情報Ｑ１の大当たりの期待度及び演出Ｑ２が示唆する大当たりの期待度は、期待度算出式“（１００×ｖ／（ｒ＋ｖ））［％］”にて表される。
【０１００】
演出Ｑ２は、特図判定用情報Ｑ１に対する特図判定の結果に基づき、特図判定用情報Ｑ１に対応する特別図柄の変動中に行われる当該予告演出でありうるし、特図判定用情報Ｑ１に対する事前判定の結果に基づき、特図判定用情報Ｑ１に対応する特別図柄の変動開始前に行われる先読み予告演出でありうる。また、大当たりの期待度は、大当たりの信頼度又は単に信頼度と称されることもある。
【０１０１】
［当落演出及び大当たり確定演出］
図１０（ａ）〜（ｄ）を参照し、当落演出及び大当たり確定演出について説明する。まず、当落演出について説明する。当落演出は、判定対象の特図判定の結果が、大当たりである（当選している)又はハズレである（落選している）ことのいずれかを遊技者に示唆する演出である。
【０１０２】
図１０（ａ）に示すように、演出制御部４０３は、変動表示中の第１〜第３装飾図柄の内、第１装飾図柄ＳＺＬ及び第２装飾図柄ＳＺＲを共通の図柄（ここでは、数字の２）にて仮停止させる、すなわち、リーチ目で仮停止させる。
【０１０３】
判定対象ＴＴの特図判定の結果が大当たりである（当選している）場合、演出制御部４０３は、変動停止コマンドの受信に基づいて、第１〜第３装飾図柄をゾロ目の態様で停止表示する（図１０（ｂ）参照）。
【０１０４】
一方で、判定対象ＴＴの特図判定の結果がハズレである（落選している）場合、演出制御部４０３は、変動停止コマンドの受信に基づいて、第１〜第３装飾図柄をバラケ目の態様で停止表示する（図１０（ｃ）参照）。
【０１０５】
つまり、当落演出は、演出制御部４０３が、第１装飾図柄ＳＺＬ及び第２装飾図柄ＳＺＲを共通の図柄（ここでは、数字の２）にて仮停止させる、すなわち、リーチ目で仮停止させることで開始される。第１〜第３装飾図柄（ＳＺＬ、ＳＺＲ、ＳＺＣ）をゾロ目の態様で停止表示された場合、判定対象ＴＴの特図判定の結果が大当たりである（当選している）ことを示唆する。第１〜第３装飾図柄（ＳＺＬ、ＳＺＲ、ＳＺＣ）がバラケ目の態様で停止表示された場合、判定対象ＴＴの特図判定の結果がハズレである（落選している）ことを示唆する。そして、当落演出が実行された場合、ゾロ目の態様で停止表示される可能性があるため、遊技者にとって有利な大当たり遊技状態（特別遊技状態）になる可能性が、当落演出が行われない場合よりも高いことを示唆しているといえる。
【０１０６】
なお、上述の当落演出は、当落演出の１例である。これ以外にも、例えば、図９に示すように、リーチ演出が、リーチ前半演出と、リーチ後半演出とを含む場合があり、リーチ後半演出において、課題が達成する演出（当選）又は課題を失敗する演出（落選）のいずれかが実行されることで、特図判定結果を示唆する当落演出もある。具体的には、リーチ演出が開始されると主人公キャラクタと敵キャラクタとが格闘する様子を示す動画像を一定時間表示するリーチ前半演出が実行される。そして、その後に、リーチ後半演出である当落演出が実行される。なお、リーチ前半演出からリーチ後半演出に移行するときに、操作演出が実行されてもよい。当落演出としての操作演出は、例えば、演出ボタン１２１の操作入力に応答し、操作対応演出として課題失敗演出（落選）、課題成功演出（大当たりに当選）のいずれかが行われる。課題失敗演出は、特図判定用情報ＪＪがハズレであることを示唆し、課題成功演出は、特図判定用情報ＪＪが大当たりであることを示唆する。
【０１０７】
また、図１０（ｄ）に示すように、大当たり確定演出において、演出制御部４０３は、判定対象ＴＴの特図判定の結果が大当たりのとき、演出制御部４０３は、第１〜第３装飾図柄（ＳＺＬ、ＳＺＲ、ＳＺＣ）をゾロ目の態様で仮停止させる。そして、演出制御部４０３は、変動停止コマンドの受信に基づいて、第１〜第３装飾図柄をゾロ目の態様で停止表示してもよい（図１０（ｂ）参照）。
【０１０８】
なお、図１０（ｂ）に示すように、ゾロ目の態様で停止表示を行うことで、大当たりが確定したことを示唆する。そのため、ゾロ目の態様で停止表示を行うことは、大当たり確定演出であるといえる。また、図１０（ｄ）に示すように、第１〜第３装飾図柄（ＳＺＬ、ＳＺＲ、ＳＺＣ）のゾロ目の態様での仮停止によって、判定対象ＴＴの特図判定の結果が大当たり確定であることを示唆している。そして、大当たり確定演出が実行された場合、大当たりが確定しているので、遊技者によって有利な大当たり遊技（特別遊技状態）になる（可能性１００％）であるため、大当たり確定演出は、特別演出である。
【０１０９】
上述の例では、大当たり確定演出は、当落演出の後半に実行されるものとして記載されているが、これに限定されない。例えば、第１〜第３装飾図柄（ＳＺＬ、ＳＺＲ、ＳＺＣ）が変動表示されている状態から、前触れなく（例えば、リーチ目の態様で仮停止したりすることなく）突然、ゾロ目の態様で停止するような演出も、大当たり確定演出に含み得る。
【０１１０】
さらに、上述の大当たり確定演出は、大当たり確定演出の一例であり、それ以外の方法で、大当たり確定演出を行うようにしてもよい。例えば、変動演出中において、画像表示部１０４の一部に、「リーチになれば、大当たり濃厚」等の文字を表示した後に、リーチになったのち、必ず大当たり遊技に突入するような演出も大当たり演出の一つである。
【０１１１】
また、後述する変動演出において、更新条件が達成される毎に溜まったゲージの色が変化（白→青→緑→赤）し、所定値に到達したときにゲージが虹色になる虹演出が行われる場合がある。虹演出は、大当たり時のみ実行され得るので、この虹演出は大当たり確定演出の一つといえる。
【０１１２】
（その他の特別演出）
なお、演出制御部４０３は、第１〜第３装飾図柄（ＳＺＬ、ＳＺＲ、ＳＺＣ）をバラケ目の態様で仮停止させた後、第１〜第３装飾図柄（ＳＺＬ、ＳＺＲ、ＳＺＣ）を停止させることなく、第１〜第３装飾図柄（ＳＺＬ、ＳＺＲ、ＳＺＣ）を、再度、変動させてもよい。このとき、演出制御部４０３は、変動停止コマンドを受けていない状態、すなわち、変動演出が継続した状態である。このように、第１〜第３装飾図柄（ＳＺＬ、ＳＺＲ、ＳＺＣ）をバラケ目の態様で仮停止した後、図柄の停止を経ずに、変動を再開する、擬似的に連続変動しているように見せかける疑似連演出を行ってもよい。そして、疑似連演出が実行されることで、特別遊技状態になる可能性が高くなる場合、疑似連演出も特別演出とすることが可能である。
【０１１３】
［昇格演出］
図１１（ａ）〜（ｅ）を参照して、昇格演出について説明する。上述のとおり、特別遊技状態は、遊技者にとって有利な遊技状態である。そのため、特別遊技状態は、大当たり遊技状態に限定されない。例えば、大当たり遊技終了後に移行しうる高確率電サポ遊技状態も、大当たり遊技終了後に移行しうる低確率電サポ遊技状態よりも大当たりに当選しやすいという点で、遊技者にとって有利であるので、特別な遊技状態の一種であると言える。本実施例では、昇格演出について、大当たり遊技終了後における遊技状態を例に、説明する。
【０１１４】
例えば、低確率非電サポ遊技状態から大当たり遊技状態になった場合、図６に示す特Ａ、特Ｂ及び通Ａの大当たりがあるとする。これらの大当たりのいずれに当選しても、大当たり遊技後に、右打ちを継続する電サポ遊技状態になる。そして、特Ａ及び特Ｂに当選した場合、大当たり遊技後に１００００回の特図変動が実行される又は大当たりに当選するまでの間、高確率電サポ遊技状態になる。なお、特図変動とは特別図柄の変動を示す。一方、通Ａに当選した場合、大当たり遊技後に、２０回の特図変動が実行される又は大当たりに当選するまでの間、低確率電サポ遊技状態になる。そして、特Ａ、通Ａの大当たりが７ラウンドであるのに対し、特Ｂは１６ラウンドである。すなわち、大当たりのラウンド数が１６ラウンドだった場合、遊技者は、特Ｂに当選しており、大当たり遊技の後、高確率電サポ遊技状態になることを容易に知り得る。一方、大当たりのラウンド数が７ラウンドだった場合、遊技者は、特Ａに当選しているのか通Ａに当選しているのか判断がつかない又は付きにくい。
【０１１５】
図１１（ａ）に示すように、大当たり遊技の後は、右打ちにて遊技が実行される。図１１（ａ）に示すように、大当たり遊技が終了した後、演出制御部４０３は、画像表示部１０４の中央部に、大サイズの第１〜第３装飾図柄（ＳＺＬ、ＳＺＲ、ＳＺＣ）を変動表示するとともに、右上に、右打ち画像（右向きの矢印及び「右打ち」の文字）Ｓ２を表示する。
【０１１６】
図１１（ｂ）は、現在の遊技状態が低確率電サポ遊技状態であった場合に、電サポ遊技状態が終了する直前（５回前）の画像表示部１０４を示す図である。演出制御部４０３は、電サポ遊技における変動回数が２０回に近づくと(例えば、変動回数１５回)、電サポ遊技における変動回数が２０に到るまでの回数を残りの変動回数として画像表示部１０４に表示する残回数表示Ｓ３の表示を行う。残回数表示Ｓ３は、“残り”の文字と、その下に残り回数（図１１（ｂ）では、５）を表示する。そして、演出制御部４０３は、特別図柄の変動を経るごとに、残回数表示Ｓ３の残り回数を減少させる、すなわち、特別図柄の変動回数をカウントダウンする。
【０１１７】
演出制御部４０３は、低確率電サポ遊技状態のときに残回数表示Ｓ３を画像表示部１０４に表示するとともに、高確率線サポ遊技状態のときにも或る確率で残回数表示Ｓ３を行う。すなわち、演出制御部４０３が残回数表示Ｓ３を行うことで、現在の遊技状態が、低確率電サポ遊技状態である可能性があることを示唆する。なお、大当たりのラウンド数で、高確率電サポ遊技状態であることを認識できる場合、例えば、特Ｂに当選した場合には、残回数表示Ｓ３は行われない。
【０１１８】
そして、現在の遊技状態が低確率電サポ遊技状態である場合には、残回数表示Ｓ３のカウントダウンの終了後、低確率非電サポ遊技状態、すなわち、左打ちによる遊技に戻る。左打ちに戻す場合には左打ちに戻す旨を示す画像が表示される（図示省略）。また、現在の遊技状態が高確率電サポ遊技状態の場合には、右打ちによる遊技が継続される。
【０１１９】
図１１（ｃ）に示すように、右打ちによる２０回の特別図柄の変動の終了後、右打ち遊技を継続する場合には、画像表示部１０４の中央部分に「右打ち継続」の文字画像の表示を行うとともに、画像表示部１０４の右上に右打ち画像Ｓ２の表示を実行する。これらの表示は、現在の遊技状態が高確率電サポ遊技状態であることを示唆している。従って、図１１（ｃ）に示す画像を表示する演出は、現在の遊技状態が低確率電サポ遊技状態である可能性があることを示唆する演出（図１１（ｂ）に示す画像を表示する演出）を経て実行される演出であって、現在の遊技状態が高確率電サポ遊技状態であることを示唆する昇格演出（遊技状態が格上げされたかのように見せかける演出）として機能する。
【０１２０】
図１１（ｃ）に示す画像の表示は、現在の遊技状態が、高確率電サポ遊技状態であることを示唆する演出である。このように、低確率電サポ遊技状態である可能性を示唆する演出に対して、高確率電サポ遊技状態を示唆する演出は、遊技者にとって有利な遊技状態を示唆する演出、すなわち、特別演出といえる。
【０１２１】
なお、上述の昇格演出は、現在の遊技状態が低確率電サポ遊技状態の可能性があることを示唆する演出から、高確率電サポ遊技状態であることを示唆する演出になっており、遊技状態が格上げされたかのように見せかける演出である。しかしながら、これに限定されない。大当たり遊技中にも昇格演出が行われる場合がある。例えば、特Ａ、特Ｂ、通Ａの大当たりは、装飾図柄のゾロ目の数字によって、示唆される場合がある。例えば、第１〜第３装飾図柄が１〜９の数字を取り得るとすると、３又は７のゾロ目の場合は、他の数字のゾロ目に比べて、特Ｂの大当たりの可能性が高いことを示唆し、３又は７以外の奇数のゾロ目の場合は、偶数のゾロ目の場合に比べて、通Ａよりも有利な、特Ａ又は特Ｂの大当たりである可能性が高いことを示唆するとする。
【０１２２】
図１１（ｄ）、（ｅ）を参照して、大当たり遊技中の昇格演出について説明する。例えば、第１〜第３装飾図柄が３又は７以外の奇数のゾロ目の態様で停止表示された後に大当たり遊技状態となったとする。すなわち、現在の大当たり遊技は、７ラウンド、１６ラウンドの両方の大当たり遊技の可能性を含み得る。
【０１２３】
図１１（ｄ）に示すように、大当たり遊技中において、画像表示部４０３は、現在のラウンド数を表示するラウンド数表示Ｓ３１を行う。当選した大当たりが特Ａ又は通Ａの場合、ラウンド数表示Ｓ３１が７ラウンドを示した後のラウンド終了後に、大当たり遊技が終了され、その後、電サポ遊技状態になる。一方、当選した大当たりが特Ｂの場合には、ラウンド数表示Ｓ３１は１６ラウンドまで継続される。
【０１２４】
図１１（ｅ）に示すように、当選した大当たりが特Ｂの場合には、演出制御部４０３が画像表示部１０４の中央に、“大当たり継続”の文字を表示するとともに、右上に右打ち画像Ｓ２の表示を継続する。この図１１（ｅ）の表示は、遊技者には、１６ラウンドの大当たり遊技状態であることを示唆する演出であるといえる。
【０１２５】
特Ａ、特Ｂ及び通Ａのいずれの大当たり遊技状態においても、例えば、第１ラウンド〜第７ラウンドにおいて、ラウンド数表示Ｓ３１の表示を含む共通の当たり演出が実行され、特Ｂの大当たり遊技状態では、第７ラウンド終了後に、図１１（ｅ）に示す画像の表示を含む特Ｂ用当たり演出が実行される。特Ｂ用当たり演出が、特Ａ及び通Ａの大当たり遊技状態にて実行されることはない。
【０１２６】
上記共通の当たり演出は、大当たり遊技が７ラウンドである可能性があることを示唆する演出として機能し、特Ｂ用当たり演出は、大当たり遊技が１６ラウンドであることを示唆する演出として機能する。
【０１２７】
また、上記共通の当たり演出は、大当たり遊技後に低確率電サポ遊技状態になる可能性があることを示唆する演出として機能し、特Ｂ用当たり演出は、大当たり遊技後に高確率として機能するともいえる。そのため、特に、上記共通の当たり演出を経て実行される特Ｂ用当たり演出は、昇格演出として機能する。
【０１２８】
［保留変化演出］
演出制御部４０３は、保留増加コマンドに含まれる事前判定結果に基づいて、位置ＨＰ１〜ＨＰ４の何れかに表示されている保留画像の表示態様を、期待度の高い色に変化させることが可能である。なお、この保留画像の表示態様を変化させる演出を保留変化演出とする。保留変化演出において、表示態様が変化した保留画像は、変化する前に対して、保留画像に対応する特図判定用情報の大当たりの期待度が高くなるように昇格している。すなわち、保留変化演出は、先読み予告演出であるとともに、期待度が高くなる（昇格する）昇格演出の一種であるといえる。保留画像の色態様は、図８に示すように、白、青、緑、赤の４態様であり、各色の期待度については、上述のとおりである。
【０１２９】
１つの特図判定用情報に対して或る色の保留画像を表示した後に、その保留画像の色を信頼度が高まる方向に変化させることも可能であり、そのような変化も事前判定の結果に基づいて実行される。或る特図判定用情報が判定対象ＴＴとなっているときの当該権利画像の表示態様及び当該権利画像の表示態様の変化は、その特図判定用情報に対する事前判定の結果又は特図判定の結果に基づいて決定される。
【０１３０】
また、保留画像の態様として５種類以上の態様を設定し、赤の保留画像よりも高い信頼度が対応づけられた保留画像の態様（例えば金）を設けても良いが、ここでは、説明の簡略化上、保留画像の態様として第１〜第４態様のみを考える。
【０１３１】
以上示した“リーチ演出”、“当落演出”、“大当たり確定演出”及び“昇格演出”は、判定対象ＴＴの判定結果に基づく特別演出である。一方で、保留変化演出は、先読み対象の事前判定の結果に基づく、特別演出である。なお、 “当落演出”、“大当たり確定演出”及び“昇格演出”は、事前判定結果に基づく特別演出とすることも可能である。例えば、大当たり確定であることを示唆するような保留画像が存在し、その保留画像を表示する演出は、大当たり確定演出に含みうる。
【０１３２】
以上、遊技者にとって有利な特別遊技状態になる可能性が高いことを示唆する特別演出について説明したが、これらは、一例にすぎず、これら以外の特別演出が実行されてもよい。
【０１３３】
［更新演出］
図１２を参照し、更新演出について説明する。演出制御部４０３は、予め決められた更新条件が成立する毎に、進捗量が更新される更新演出を行う場合がある。例えば、更新条件として、演出ボタン１２１の連続操作（いわゆる、ボタン連打）によって、操作入力の回数が予め決められた値に達すること挙げることができる。なお、図１２において、画像表示部１０４の中央の下部には、保０画像Ｈ０、保１画像Ｈ１及び保２画像Ｈ２が表示されている。保０画像Ｈ０が最も右に表示され、その左に保１画像Ｈ１が表示され、さらに保１画像Ｈ１の左に保２画像Ｈ２が表示されている。また、画像表示部１０４の右下には、中央部に表示される（大サイズの）第１〜第３装飾図柄（ＳＺＬ、ＳＺＲ、ＳＺＣ）よりも小さいサイズの（縮小された）第１〜第３装飾図柄（Ｓ１Ｌ、Ｓ１Ｒ、Ｓ１Ｃ）が表示されている。縮小された第１〜第３装飾図柄（Ｓ１Ｌ、Ｓ１Ｒ、Ｓ１Ｃ）表示サイズが小さいだけであり、大サイズの第１〜第３装飾図柄と同等の図柄の変動表示が実行される。
【０１３４】
例えば、更新演出が変動演出中に発生するとして説明する。図１２に示すように、更新演出の開始の際に、演出制御部４０３は、縮小した第１〜第３装飾図柄を画像表示部１０４の右下で変動表示するとともに、画像表示部１０４の中央部分に、更新条件を達成するために遊技者が行う操作の内容を示す操作画像２０１（ここでは、演出ボタン１２１の画像２０１１と「ボタン連打」の文字２０１２を含む画像であって、演出ボタン１２１を繰り返し押下する操作（連打）を促す画像）を表示する。また、演出制御部４０３は、遊技者が行う操作の内容を示す操作画像２０１の横（図１２では、左横）に更新条件の進捗状態を示す更新表示画像２０２を表示する。更新表示画像２０２は、上下方向に配列された合計５個のゲージ２０３を備えている。
【０１３５】
演出制御部４０３は、遊技者による演出ボタン１２１の操作回数（連打回数）をカウントしている。そして、演出制御部４０３は、操作回数が、更新条件が成立したと判定するための予め決められた値に到達すると、更新条件が成立した判定して、更新表示画像２０２の５個のゲージ２０３を下から所定の色で塗りつぶして表示を変更する。更新表示画像２０２は、進捗量を示している。そして、新たなゲージ２０３が塗りつぶされることは、進捗量が更新されていることを示している。そのため、以下の説明では、新たなゲージ２０３を塗りつぶして表示を変更することを「進捗量の更新」と称する場合がある。すなわち、「進捗量の更新」と記載されている場合には、演出制御部４０３が、画像表示部１０４に表示されている更新表示画像２０２の塗りつぶされていないゲージ２０３を新たに塗りつぶすことを示している。
【０１３６】
演出制御部４０３は、ゲージ２０３が塗りつぶされる毎に、すなわち、進捗量が更新されるごとに、演出ボタン１２１の操作回数をリセットし、ゼロからカウントを再開する。そして、更新条件が成立する毎に、色が塗られていないゲージ２０３を下から順に塗りつぶす。なお、カウント数を継続して使用してもよい。
【０１３７】
図１３（ａ）、（ｂ）に、１回の更新条件の成立による更新演出の結果を示す。１回の更新条件の成立によって、演出制御部４０３は、ゲージ２０３を第１の値である１個塗りつぶして（進捗量を第１の値だけ更新して）もよいし（図１３（ａ）参照）、第２の値である２個塗りつぶして（進捗量を第２の値だけ更新して）もよい（図１３（ｂ）参照）。なお、ゲージ２０３を塗りつぶす個数である、第１の値（１個）と第２の値（２個）は、ランダムに決定されてもよいし、ゲージ２０３の溜まり具合や判定対象ＴＴの判定結果と関連付けて決定されてもよい。進捗量の更新の個数の決定方法については、後述する。
【０１３８】
また、第１の値は１（個）に限定されず、第２の値は２（個）に限定されない。しかしながら、第２の値は第１の値よりも大きい値であり、ゲージ２０３の最大数（ここでは、所定値と同じ５）を超えない値である。つまり、更新演出において、進捗量は、１回の更新条件の成立で、所定値に更新される（すなわち、ゲージ２０３が５個塗りつぶされる）場合があり得る。また、第１の値及び第２の値に加えて、これらの値と異なる第ｊの値（ｊは３以上の整数）を備えていてもよい。なお、第ｊの値は、ゲージ２０３の最大数（ここでは、所定値と同じ５）を超えない値である。  なお、上述の更新表示画像２０２は、５個のゲージを有しているが、それに限定されない。５個以下であってもよいし、５個以上であってもよい。
【０１３９】
更新演出時には、更新表示画像２０２の５個のゲージ２０３の全てが塗りつぶされる場合（すなわち、進捗量が所定値に到達する場合）と、更新表示画像２０２の５個のゲージ２０３の一部は塗りつぶされない場合（すなわち、進捗量が所定値に到達しない場合）とがあってよい。
【０１４０】
図１４を参照して、他の更新演出について説明する。図１４に示す更新演出では、更新表示画像２０２１は１つのゲージ２０３１を有しており、ゲージ２０３１の内部をバー２０３２が増加する映像が表示される。進捗バー２０３２は、いわゆる、プログレスバーであり、現在の更新演出の進捗状況を表示している。
【０１４１】
進捗バー２０３２は、表示されていない状態からゲージ２０３１を満たす状態に増加する。進捗バー２０３２は、例えば、更新条件が成立する毎に、予め決められた量だけ増加する。例えば、図１４では、進捗バー２０３２がゲージ２０３１の半分くらいまで到達している。このことは、更新演出において、進捗量が所定値の約半分に到達していることを示している。進捗バー２０３２は、更新演出の成立によって、徐々に増加する。
【０１４２】
上述の更新演出では、更新条件として、演出ボタン１２１のボタン連打による入力回数が一定回数以上の入力操作が行われることとしているが、これに限定されない。例えば、演出ボタン１２１の操作状態を維持（いわゆる、ボタンの長押し）することによって、更新条件が成立するものを挙げることができる。
【０１４３】
図１５を参照して、更新演出の他の例について説明する。更新演出は、演出ボタン１２１に操作に基づくものだけとは限らない。例えば、図１５に示す更新演出では、画像表示部１０４の上部から下部に向かって、更新演出用画像２０４（ここでは、星型の画像）が落下する演出（あおり演出）が実行される。そして、更新演出用画像２０４が落下する演出が実行される毎に、更新条件の成立とする。そして、更新条件が成立する毎に、画像表示部１０４の左側に表示された更新表示画像２０５の５個のアイテム２０６が１（第１の値）又は２（第２の値）ずつ貯留される。図１５に示す更新演出では、更新表示画像２０５を星形とし、５個のアイテム２０６を貯留することで、星形が完成される。なお、図１５に示す演出の場合も、進捗量は、第１の値又は第２の値のいずれかの値で更新されてよいし、第１の値及び第２の値のいずれか選択された方で更新されてよい。
【０１４４】
なお、図１５に示す更新演出では、演出制御部４０３は、更新演出を行うとき、更新演出に使用する画像（図１２の場合、遊技者が行う操作の操作画像２０１と更新表示画像２０２、図１５の場合、更新演出用画像２０４と更新表示画像２０５）、縮小した第１〜第３装飾図柄及び保留画像を画像表示部１０４に表示するが、これに限定されず、これらの画像と同時に遊技上の別の演出で使用される画像（例えば、遊技上のストーリの動画像等）を表示してもよい。別の演出は、更新演出と重ならない位置で表示してもよいし、更新演出の背後に表示されていてもよい。ここで、「背後に表示」とは、画像表示部１０４に表示されるが、遊技者から見て或る画像の背後に位置するように表示する場合も含む。また、盤可動役物１３０に画像表示部が設けられており、画像表示部１０４の前方に移動させた盤可動役物１３０の画像表示部で更新演出を行い、盤可動役物１３０の背後の画像表示部１０４に別の演出を表示するような場合も含む。
【０１４５】
上述した、更新演出は更新演出の一例に過ぎない。遊技機１００では、互いに内容が異なる複数の更新演出を実行してもよい。また、上述の更新演出は、変動演出中に発生するものとしているが、これに限定されない。例えば、大当たり遊技中に実行されてもよいし、先読み予告演出中に実行されてもよい。また、上述した更新演出では、進捗量の表示方法として、ゲージが０の状態から増加するものとしているが、これに限定されない。例えば、満タン状態のゲージからゲージが０になることで、進捗量が所定値に到達したとしてもよい。このように、進捗量が減少する場合には、所定値は、０である。また、減少する場合において、所定値は、０に限定されず、０よりも大きい値（量）であってもよい。このように、所定値を０よりも大きい値（量）とすることで、後述する、ＳＰリーチやＳＰＳＰリーチが実行される可能性があることを示唆することが可能である。
【０１４６】
上述した遊技機１００の構成及び動作等を基本とする複数の実施例を、以下に説明する。なお、矛盾無き限り、以下に述べる複数の実施例の内、任意の実施例に記載した事項を、他の任意の実施例に適用することもできる（即ち複数の実施例の内の任意の２以上の実施例を組み合わせることも可能である）。
【０１４７】
（第１実施例）
図面を参照し、本発明にかかる遊技機１００の動作について説明する。以下では、説明の具体化及び明確化のため、特に記述無き限り、遊技機１００の遊技状態が低確率非電サポ遊技状態であって且つ判定対象ＴＴは第１始動条件の成立に基づいて取得された特図判定用情報であると想定する。そして、大当たり遊技状態は、大入賞口１１１の開放を伴わない遊技状態（例えば、低確率非電サポ遊技状態）よりも、遊技者にとって有利な遊技状態であり、特別遊技状態とする。そして、リーチ演出は、特別遊技状態になる可能性が高いことを示唆する演出であり、ここでは、特別演出とする。
【０１４８】
図１６に示される状況α１を考える。任意の整数ｉに関し、タイミングＴＡ（ｉ＋１）はタイミングＴＡｉよりも後のタイミングであるとする。状況α１では、装飾図柄の変動演出中に更新演出及びリーチ演出が行われる。タイミングＴＡ１０にて演出制御部４０３は、主制御部４０１からの判定対象ＴＴの特図判定の結果を含む変動開始コマンドに応答して、変動演出を開始する。演出制御部４０３は、画像表示部１０４の中央部分に大サイズの第１〜第３装飾図柄（ＳＺＬ、ＳＺＲ、ＳＺＣ）の変動表示を開始する。なお、タイミングＴＡ１０で開始された、１つの特図判定用情報に対する１つの変動演出は、後述のタイミングＴＡ７０にて終了する。
【０１４９】
タイミングＴＡ２０にて、演出制御部４０３は、画像表示部１０４の右下に、縮小サイズの第１〜第３装飾図柄（Ｓ１Ｌ、Ｓ１Ｒ、Ｓ１Ｃ）の変動表示を行う。この時、画像表示部１０４の中央部分で変動表示していた大サイズの第１〜第３装飾図柄（ＳＺＬ、ＳＺＲ、ＳＺＣ）を消去する。なお、大サイズの第１〜第３の総小図柄の消去は、縮小した第１〜第３装飾図柄の変動表示の開始と同時であってもよいし、画像表示部１０４の右下にて縮小した第１〜第３装飾図柄の変動表示を開始した後であってもよい。画像表示部１０４上で、装飾図柄の変動表示の切り替えは、装飾図柄の変動表示が行われない期間が発生しなければよい。
【０１５０】
そして、演出制御部４０３は、画像表示部１０４に更新条件の成立のために遊技者が行う操作画像２０１及び更新表示画像２０２を表示する。演出制御部４０３は、遊技者による演出ボタン１２１の操作回数をカウントしている。
【０１５１】
遊技者による演出ボタン１２１の操作回数が予め決めた回数に到達すると、演出制御部４０３は、更新表示画像２０２の最も下のゲージ２０３を塗りつぶして、更新表示画像２０２の表示を更新する（図１３参照）。すなわち、進捗量の更新を行う。本実施例では、１回の更新条件の成立で、第１の値である１個のゲージ２０３が塗りつぶされるものとする。しかしながら、１回の更新条件の成立で塗りつぶされるゲージ２０３は、第１の値である１個に限定されず、第２の値である２個であってもよい。また、第１の値又は第２の値がランダム又はある条件に従って決定され、決定された値の数だけゲージ２０３が塗りつぶされるようにしてもよい。
【０１５２】
演出制御部４０３は、進捗量が更新される毎に、演出ボタン１２１の操作回数のカウント数をリセットし、再度、ゼロからカウントを開始する。なお、演出制御部４０３は、更新表示画像２０２のゲージ２０３を下から１個ずつ塗りつぶす。そして、演出制御部４０３は、タイミングＴＡ３０において、５個のゲージ２０３の全てが塗りつぶされた更新表示画像２０２の表示に更新する。すなわち、タイミングＴＡ３０において、進捗量が、所定値（ここでは、５）に到達し、演出制御部４０３は、更新演出を終了する（図１６参照）。
【０１５３】
更新演出は、遊技者に対して、リーチ演出が行われる可能性があることを示唆する演出である。更新演出において、更新表示画像２０２のゲージ２０３がすべて塗りつぶされた（進捗量が所定値に到達した）場合、ゲージ２０３のすべては塗りつぶされない（進捗量が所定値に到達しない）場合に比べて、リーチ演出が行われ易い、すなわち、リーチ演出が行われる可能性が高いことを示唆する。なお、本実施例では、進捗量の所定値は、進捗量がとり得る最大値としているが、最大値ではなく、最大値に到達する手前の値に設定されていてもよい。
【０１５４】
タイミングＴＡ４０において、演出制御部４０３は、画像表示部１０４に更新条件の成立のために遊技者が行う操作画像２０１及び更新表示画像２０２を消去する。それと同時に、大サイズの第１〜第３装飾図柄の内、第１及び第２装飾図柄を同じ図柄（ここでは、数字の２）で仮停止させる。そして、演出制御部４０３は、タイミングＴＡ５０にて、リーチ演出を実行する、すなわち、リーチ演出が開始される。
【０１５５】
リーチ演出は、判定対象ＴＴの特図判定結果を示唆する示唆画像を含む演出である。主人公キャラクタ画像１１１０と敵キャラクタ画像１１２０とが戦うリーチ演出であり、主人公キャラクタ画像１１１０と敵キャラクタ画像１１２０とが、示唆画像である。
【０１５６】
リーチ演出が開始されると、演出制御部４０３は、画像表示部１０４の中央部分に表示していた大サイズの第１〜第３装飾図柄（ＳＺＬ、ＳＺＲ、ＳＺＣ）を消去する。演出制御部４０３は、遊技者が視認容易な画像表示部１０４の右下で、縮小した第１〜第３装飾図柄を変動表示する。なお、縮小した第１及び第２装飾図柄は、仮停止状態で表示される。
【０１５７】
タイミングＴＡ６０にて、演出制御部４０３は、リーチ演出を終了する。状況α１では、リーチ演出は、遊技上の課題が達成される様子を表す演出であり、リーチ演出の終了時において、画像表示部１０４には、遊技上の課題達成の画像（主人公キャラクタが敵キャラクタを倒した状態）が表示される。リーチ演出が遊技上の課題が達成される様子を表す、すなわち、大当たりを示唆しており、演出制御部４０３は、リーチ演出終了後のタイミングＴＡ７０にて、変動停止コマンドの受信に基づいて、画像表示部１０４の中央部分に大サイズの第１〜第３装飾図柄（ＳＺＬ、ＳＺＲ、ＳＺＣ）を、大当たりを示す態様（ゾロ目の態様）にて停止表示させる。演出制御部４０３は、大サイズの第１〜第３装飾図柄（ＳＺＬ、ＳＺＲ、ＳＺＣ）の表示を行うときに、縮小した第１〜第３装飾図柄を消去する。この後、大当たり遊技が開始される。つまり、タイミングＴＡ７０で変動演出が終了する。
【０１５８】
以上のように、状況α１では、タイミングＴＡ２０にて、更新演出が開始されるとともに、タイミングＴＡ３０で更新演出が終了したときに、更新演出において表示される更新表示画像２０２のゲージ２０３が５個すべて塗りつぶされる（進捗量が所定値に到達する）。  
【０１５９】
図１７を参照し、図１６に示す状況α１を基準として、タイミングＴＡ３１にて更新演出が終了したときに、更新表示画像２０２のゲージ２０３の一部（ここでは、２個）塗りつぶされずに残ったとする（以下、図１７に示す状況を状況α２とする）。状況α２において、更新演出は、進捗量が所定値に到達しない演出である。また、状況α２において、任意の整数ｉに関し、タイミングＴＡ（ｉ＋１）はタイミングＴＡｉよりも後のタイミングであるとする。また、状況α１とα２とは別の状況であり、状況α１の各タイミングと状況α２の各タイミングとの間には、特に記載がない限り、関連はないものとする。
【０１６０】
図１７に示す状況α２において、演出制御部４０３は、タイミングＴＡ３１にて、更新表示画像２０２の塗りつぶされていないゲージ２０３が残っている状態（全てのゲージ２０３が塗りつぶされているわけではない状態）で、更新演出を終了する。状況α２に関し、更新演出の実行中において、更新表示画像２０２の塗りつぶされていないゲージ２０３が残っている状態（全てのゲージ２０３が塗りつぶされているわけではない状態）で、それ以上は更新条件が成立せず、又は、更新条件の成立状態の如何によらず（例えば、更新条件が演出ボタン１２１への層ンさ入力で成立する場合にあっては、演出ボタン１２１への入力操作状況に依らず）、更新演出を終了する。そして、演出制御部４０３は、リーチ演出を実行せずに、変動停止コマンドに基づいてタイミングＴＡ７１にて、大サイズの第１〜第３装飾図柄（ＳＺＬ、ＳＺＲ、ＳＺＣ）を非ゾロ目の態様で停止表示する。この後、演出制御部４０３は現在の画像Ｈ０を消去する。また、主制御部４０１は、特図判定用情報記憶領域４１３ａに記憶されている特図判定用情報を判定対象ＴＴとして取得し、判定対象ＴＴに対して特図判定を実行する。
【０１６１】
そして、タイミングＴＡ９０にて、演出制御部４０３は、主制御部４０１からの特図判定用情報の特図判定の結果を含む変動開始コマンドに基づき、位置ＨＰ１に表示されている保１画像Ｈ１を、位置ＨＰ０にシフトさせて表示する。また、演出制御部４０３は、変動開始コマンドに基づいて、装飾図柄の変動を開始する（タイミングＴＡ８０）。
【０１６２】
なお、状況α１では、更新演出において進捗量が所定値に到達した後、リーチ演出が開始されており、状況α２では、更新演出において進捗量が所定値に到達せず、リーチ演出も開始されない。更新演出において、進捗量が所定値に到達したとき、必ずリーチ演出（特別演出）が行われるようにしてもよいし、リーチ演出が行われる場合と行われない場合とがあり得るようにしてもよい。例えば、更新演出において進捗量が所定値に到達した後、リーチ演出が開始されない場合があってもよい。また、更新演出において、進捗量が所定値に到達しなかったとき、常にリーチ演出（特別演出）が行われることが無いようにしてもよいし、リーチ演出が行われる場合と行われない場合とがあり得るようにしてもよい。更新演出において進捗量が所定値に到達した場合、進捗量が所定値に到達しなかった場合に比べて、リーチ演出（特別演出）が実行される可能性が高い。換言すると、更新演出で進捗量が所定値に到達した後にリーチ演出（特別演出）が実行される確率は、更新演出で進捗量が所定値に到達しなかった後にリーチ演出（特別演出）が実行される確率よりも高い。また、更新演出で進捗量が所定値に到達した後にリーチ演出（特別演出）が実行される確率は、進捗量が所定値に到達した後にリーチ演出（特別演出）が行われない確率よりも高いと良い。
【０１６３】
演出制御部４０３は、更新演出を実行することなく、リーチ演出を行ってもよい。更新演出は、特別演出であるリーチ演出が行われる可能性があることを示唆する演出である。更新演出が実行されるか否かは、リーチ演出が実行される可能性があることを示唆するものであって、更新演出の有無と、その後実行されるリーチ演出が示唆する、大当たりの期待度とは無関係であってもよいし関係していてもよい。例えば、更新演出における進捗量の所定値への到達した後に実行されるリーチ演出は、更新演出を実行せずにリーチ演出が実行された場合に比べて、期待度が高くて（低くて）もよい。
【０１６４】
以上、演出制御部４０３が、更新演出及びリーチ演出を含む変動演出、更新演出を含みリーチ演出を含まない変動演出及び更新演出を含まずリーチ演出を含む変動演出を実行する場合について説明している。実際には、演出制御部４０３が、更新演出及びリーチ演出を含まない変動演出等を実行する場合もある。そこで、本実施例の特図変動パターンについて説明する。
【０１６５】
図１８は、特図変動パターンテーブルＴＨｔに含められた特図変動パターンテーブルＴＨｔ＿ａを示している。なお、説明を容易にするため、変動演出にリーチ演出を含む場合、いずれのリーチ演出も同じものとする。
【０１６６】
特図変動パターンテーブルＴＨｔ＿ａは、特図変動パターンＴＨｐ＿ａ１１〜ＴＨｐ＿ａ１６及びＴＨｐ＿ａ２１〜ＴＨｐ＿ａ２６を含む。特図変動パターンＴＨｐ＿ａ１１〜ＴＨｐ＿ａ１６にて定義される特別図柄の変動時間は、それぞれ、５秒、２０秒、２０秒、４０秒、６０秒、６０秒である。特図変動パターンＴＨｐ＿ａ２１〜ＴＨｐ＿ａ２６にて定義される特別図柄の変動時間は、それぞれ、５秒、２０秒、２０秒、４０秒、６０秒、６０秒である。
【０１６７】
また、判定対象ＴＴに対する特図判定の結果がハズレを示す場合、特図変動パターン乱数等を用い、特図変動パターンＴＨｐ＿ａ１１〜ＴＨｐ＿ａ１６が、それぞれ、７０％、１８％、０．１％、７．９％、０．２％、３％の確率で選択されるように、且つ、判定対象ＴＴに対する特図判定の結果が特Ａ〜特Ｄ、通Ａ又は通Ｂの大当たりを示す場合、特図変動パターン乱数等を用い、特図変動パターンＴＨｐ＿ａ２１〜ＴＨｐ＿ａ２６が、それぞれ、２％、３％、４％、２８％、１％、６２％の確率で選択されるように、テーブルＴＨｔ＿ａが形成されている。特図変動パターンテーブルＴＨｔ＿ａは、リーチ演出の有無、更新演出の有無、更新演出時の進捗量の所定値に到達したか否かで、変動演出の内容を規定しているテーブルである。
【０１６８】
演出制御部４０３は、特図判定の結果を示す情報を含んだ変動開始コマンドを受信すると、その情報に基づいて変動演出の内容を決定し、決定した内容の変動演出を実行する。具体的には、例えば、各々に変動演出の内容を定義した複数の変動演出パターン（特図変動演出パターン）を含む変動演出パターンテーブル（特図変動演出パターンテーブル）が予めサブＲＯＭ４３２に格納されており、変動開始コマンド等に基づき、当該変動演出パターンテーブルから１つの変動演出パターンを選択することで変動演出の内容が決定される。
【０１６９】
図１８には、各特図変動パターンに対応する変動演出の概要が、便宜上、示されている。なお、実際には、変動演出の内容を示すデータは、特図変動パターンテーブルＴＨｔ＿ａに含まれている訳ではなく、サブＲＯＭ４３２内に格納されている。
【０１７０】
判定対象ＴＴに対し特図変動パターンＴＨｐ＿ａ１１が選択されているとき、演出制御部４０３は、判定対象ＴＴに対する変動演出において、更新演出及びリーチ演出を含まないノーマルハズレ演出を実行する。判定対象ＴＴに対し特図変動パターンＴＨｐ＿ａ１２が選択されているとき、演出制御部４０３は、判定対象ＴＴに対する変動演出において、更新演出を行うが更新演出において進捗量が所定値に到達せず、リーチ演出も行わない、所定値未到達リーチ無しハズレ演出を行う。また、特図変動パターンＴＨｐ＿ａ１３が選択されているとき、演出制御部４０３は、判定対象ＴＴに対する変動演出において、更新演出を行い、更新演出において進捗量が所定値に到達するが、リーチ演出を行わない、所定値到達リーチ無しハズレ演出を行う。また、特図変動パターンＴＨｐ＿ａ１４が選択されているとき、演出制御部４０３は、判定対象ＴＴに対する変動演出において、更新演出は行わないがリーチ演出を行う、リーチのみハズレ演出を行う。また、特図変動パターンＴＨｐ＿ａ１５が選択されているとき、演出制御部４０３は、判定対象ＴＴに対する変動演出において、更新演出を行うが更新演出において進捗量が所定値に到達せず、リーチ演出を行う、所定値未到達リーチ有りハズレ演出を行う。さらに、特図変動パターンＴＨｐ＿ａ１６が選択されているとき、演出制御部４０３は、判定対象ＴＴに対する変動演出において、更新演出を行い、更新演出において進捗量が所定値に到達し、リーチ演出を行う、所定値到達リーチ有りハズレ演出を行う。リーチ有りハズレ演出では、対応するリーチ演出を実行した後、ハズレを示す態様（非ゾロ目の態様）で第１〜第３装飾図柄を停止表示させる。
【０１７１】
判定対象ＴＴに対し特図変動パターンＴＨｐ＿ａ２１が選択されているとき、演出制御部４０３は、当該判定対象ＴＴに対する変動演出において、リーチ演出を含まないノーマル当たり演出を実行する。判定対象ＴＴに対し特図変動パターンＴＨｐ＿ａ２２が選択されているとき、更新演出を行うが更新演出において進捗量が所定値に到達せず、リーチ演出も行わない、所定値未到達リーチ無し当たり演出を行う。また、特図変動パターンＴＨｐ＿ａ２３が選択されているとき、演出制御部４０３は、判定対象ＴＴに対する変動演出において、更新演出を行い、更新演出において進捗量が所定値に到達するが、リーチ演出を行わない、所定値到達リーチ無し当たり演出を行う。また、特図変動パターンＴＨｐ＿ａ２４が選択されているとき、演出制御部４０３は、判定対象ＴＴに対する変動演出において、更新演出は行わないがリーチ演出を行う、リーチのみ当たり演出を行う。また、特図変動パターンＴＨｐ＿ａ２５が選択されているとき、演出制御部４０３は、判定対象ＴＴに対する変動演出において、更新演出を行うが更新演出において進捗量が所定値に到達せず、リーチ演出を行う、所定値未到達リーチ有り当たり演出を行う。さらに、特図変動パターンＴＨｐ＿ａ２６が選択されているとき、演出制御部４０３は、判定対象ＴＴに対する変動演出において、更新演出を行い、更新演出において進捗量が所定値に到達し、リーチ演出を行う、所定値到達リーチ有り当たり演出を行う。リーチ有り当たり演出では、対応するリーチ演出を実行した後、大当たりを示す態様（ゾロ目の態様）で第１〜第３装飾図柄を停止表示させる。
【０１７２】
特図変動パターンＴＨｐ＿ａ１６が選択されているとき、演出制御部４０３は、更新演出を行い、更新演出において進捗量が所定値に到達した後、リーチ演出を実行する所定値到達リーチ有りハズレ演出を実行する。判定対象ＴＴがハズレの場合において、特図変動パターンＴＨｐ＿ａ１６が選択される確率は３％である。また、特図変動パターンＴＨｐ＿ａ１３が選択されているとき、演出制御部４０３は、更新演出を行い、進捗量が所定値に到達した後、リーチ演出を実行しない所定値到達リーチ無しハズレ演出を実行する。判定対象ＴＴがハズレの場合において、特図変動パターンＴＨｐ＿ａ１３が選択される確率は０．１％である。すなわち、判定対象ＴＴの判定結果がハズレである場合において、更新演出において進捗量が所定値に到達した後にリーチ演出が行われる確率は、進捗量が所定値に到達したにもかかわらずリーチ演出が行われない確率よりも高い。
【０１７３】
また、特図変動パターンＴＨｐ＿ａ２６が選択されているとき、演出制御部４０３は、更新演出を行い、更新演出において進捗量が所定値に到達した後、リーチ演出を実行する所定値到達リーチ有り当たり演出を実行する。判定対象ＴＴの判定結果が大当たりである場合において、特図変動パターンＴＨｐ＿ａ２６が選択される確率は６２％である。また、特図変動パターンＴＨｐ＿ａ２３が選択されているとき、演出制御部４０３は、更新演出を行い、進捗量が所定値に到達した後、リーチ演出を実行しない所定値到達リーチ無し当たり演出を実行する。判定対象ＴＴの判定結果が大当たりである場合において、特図変動パターンＴＨｐ＿ａ２３が選択される確率は４％である。すなわち、判定対象ＴＴの判定結果が大当たりである場合において、更新演出において進捗量が所定値に到達した後にリーチ演出が行われる確率は、進捗量が所定値に到達した後にリーチ演出が行われない確率よりも高い。
【０１７４】
なお、特図変動パターンＴＨｐ＿ａ１２、ＴＨｐ＿ａ１５、ＴＨｐ＿ａ２２及びＴＨｐ＿ａ２５が選択されているときに関し、「更新演出において進捗量が所定値に到達せず」とは、更新演出の実行中において、進捗量が所定値より小さな或る値に到達すると、それ以上は、更新条件が成立しないこと、又は、更新条件の成立状態の如何によらず（例えば、更新条件が演出ボタン１２１の操作入力で成立する場合にあっては、演出ボタン１２１への入力操作状況に依らず）進捗量が増加しないことを意味する。
【０１７５】
低確率遊技状態において、大当たりに当選する確率は、１／３００である。すなわち、判定対象ＴＴの特図判定の結果が、大当たりである確率は、１／３００であり、ハズレである確率は、２９９／３００である。そのため、判定対象ＴＴの特図判定の結果に基づいて、演出制御部４０３が所定値到達リーチ有りハズレ演出を実行する（特図変動パターンＴＨｐ＿ａ１６が選択される）確率は、（３／１００）×（２９９／３００）＝０．０２９９、すなわち、２．９９％である。一方、判定対象ＴＴの特図判定の結果に基づいて、演出制御部４０３が所定値到達リーチ無し当たり演出を実行する（特図変動パターンＴＨｐ＿ａ２３が選択される）確率は、（４／１００）×（１／３００）≒０．０００１３３、すなわち、０．０１３３％である。
【０１７６】
また、同じく低確率遊技状態において、判定対象ＴＴの特図判定の結果に基づいて、演出制御部４０３が所定値到達リーチ無しハズレ演出を実行する（特図変動パターンＴＨｐ＿ａ１３が選択される）確率は、（０．１／１００）×（２９９／３００）≒０．０００９９７、すなわち、０．０９９７％である。一方、判定対象ＴＴの特図判定の結果に基づいて、演出制御部４０３が所定値到達リーチ有り当たり演出を実行する（特図変動パターンＴＨｐ＿ａ２６が選択される）確率は、（６２／１００）×（１／３００）≒０．００２０７、すなわち、０．２０７％である。判定対象ＴＴの特図判定の結果に基づいて、演出制御部４０３が、所定値到達リーチ有りハズレ演出、所定値到達リーチ有り当たり演出、所定値到達リーチ無しハズレ演出及び所定値到達リーチ無し当たり演出を実行する確率は、それぞれ、２．９９％、０．２０７％、０．０９９７％及び０．０１３３％である。
【０１７７】
高確率遊技状態において、大当たりに当選する確率は、１／３０である。すなわち、判定対象ＴＴの特図判定の結果が、大当たりである確率は、１／３０であり、ハズレである確率は、２９／３０である。そのため、判定対象ＴＴの特図判定の結果に基づいて、演出制御部４０３が所定値到達リーチ有りハズレ演出を実行する（特図変動パターンＴＨｐ＿ａ１６が選択される）確率は、（３／１０）×（２９／３０）＝０．０２９、すなわち、２．９％である。一方、判定対象ＴＴの特図判定の結果に基づいて、演出制御部４０３が所定値到達リーチ無し当たり演出を実行する（特図変動パターンＴＨｐ＿ａ２３が選択される）確率は、（４／１００）×（１／３０）≒０．００１３３、すなわち、０．１３３％である。
【０１７８】
また、同じく高確率遊技状態において、判定対象ＴＴの特図判定の結果に基づいて、演出制御部４０３が所定値到達リーチ無しハズレ演出を実行する（特図変動パターンＴＨｐ＿ａ１３が選択される）確率は、（０．１／１０）×（２９／３０）≒０．０００９６７、すなわち、０．０９６７％である。一方、判定対象ＴＴの特図判定の結果に基づいて、演出制御部４０３が所定値到達リーチ有り当たり演出を実行する（特図変動パターンＴＨｐ＿ａ２６が選択される）確率は、（６２／１００）×（１／３０）≒０．０２０７、すなわち、２．０７％である。判定対象ＴＴの特図判定の結果に基づいて、演出制御部４０３が、所定値到達リーチ有りハズレ演出、所定値到達リーチ有り当たり演出、所定値到達リーチ無しハズレ演出及び所定値到達リーチ無し当たり演出を実行する確率は、それぞれ、２．９％、２．０７％、０．０９６７％及び０．１３３％である。
【０１７９】
以上のことから、低確率遊技状態又は高確率遊技状態にかかわらず、判定対象ＴＴの特図判定の結果に基づいて演出制御部４０３が実行する演出において、更新演出で進捗量が所定値に到達した場合、リーチ演出が発生する確率はリーチ演出が発生しない確率よりも高い。このことは、判定対象の特図判定の結果が大当たり及びハズレに関係なく成り立っている。
【０１８０】
また、判定対象ＴＴの判定結果がハズレの場合において、更新演出で進捗量が所定値に到達した後リーチ演出が行われる確率は、所定値到達リーチ無しハズレ演出（特図変動パターンＴＨｐ＿ａ１３）が選択される確率と所定値到達リーチ有りハズレ演出（特図変動パターンＴＨｐ＿ａ１６）が選択される確率とから求められる。すなわち、判定対象ＴＴの判定結果がハズレの場合において、更新演出で進捗量が所定値に到達した後リーチ演出が行われる確率は、１８／（０．１＋３）≒０．９６８（９６．８％）である。一方、更新演出で進捗量が所定値に到達しない後リーチ演出が行われる確率は、所定値未到達リーチ無しハズレ演出（特図変動パターンＴＨｐ＿ａ１２）が選択される確率と所定値未到達リーチ有りハズレ演出（特図変動パターンＴＨｐ＿ａ１５）が選択される確率とから求められる。すなわち、判定対象ＴＴの判定結果がハズレの場合において、更新演出で進捗量が所定値に到達しなかった後リーチ演出が行われる確率は、１／（１８＋１）≒０．０５２６（５．２６％）である。
【０１８１】
さらに、判定対象ＴＴの判定結果が大当たりの場合において、更新演出で進捗量が所定値に到達した後リーチ演出が行われる確率は、所定値到達リーチ無し当たり演出（特図変動パターンＴＨｐ＿ａ２３）が選択される確率と所定値到達リーチ有り当たり演出（特図変動パターンＴＨｐ＿ａ２６）が選択される確率とから求められる。すなわち、判定対象ＴＴの判定結果が大当たりの場合において、更新演出で進捗量が所定値に到達した後リーチ演出が行われる確率は、６２／（４＋６２）≒０．９３９（９３．９％）である。一方、更新演出で進捗量が所定値に到達しない後リーチ演出が行われる確率は、所定値未到達リーチ無しハズレ演出（特図変動パターンＴＨｐ＿ａ２２）が選択される確率と所定値未到達リーチ有りハズレ演出（特図変動パターンＴＨｐ＿ａ２５）が選択される確率とから求められる。すなわち、判定対象ＴＴの判定結果が大当たりの場合において、更新演出で進捗量が所定値に到達しなかった後リーチ演出が行われる確率は、１／（３＋１）＝０．２５（２５％）である。
【０１８２】
以上のことから、判定対象ＴＴの判定結果がハズレ及び大当たりのいずれの場合においても、リーチ演出は、更新演出で進捗量が所定値に到達したとき、更新演出で進捗量が所定値に到達しないときよりも実行されやすいといえる。
【０１８３】
図１８に示す特図変動パターンテーブルＴＨｔ＿ａは、特図変動パターンテーブルの一例であり、これら以外のハズレ又は大当たりの特図変動パターンを含んでいてもよい。
【０１８４】
本実施例では、更新演出において、演出制御部４０３は、遊技者による演出ボタン１２１の操作回数が、更新条件が成立したと判定するための予め決められた値に到達したとき、更新条件が成立したと判定する。例えば、演出制御部４０３は、進捗量にかかわらず操作回数が１５回（予め決められた値）に到達する毎に更新条件が成立したと判定してもよい。また、更新条件が成立したと判定するための予め決められた値として、現在の進捗量によって変更してもよい。例えば、更新条件が成立したと判定するための予め決められた値を、現在の進捗量が、０のとき１５回、１のときに１５回、２のとき２０回、３のとき２０回、４のとき３０回、といったように現在の進捗量によって変化させてもよい。なお、更新条件が成立したと判定するための予め決められた値は、現在の進捗量が大きいほど小さくてもよい。また、更新条件が成立したと判定するための予め決められた値は、更新演出の終了期間までの時間と現在の進捗量によって決定されるものであってもよい。さらには、更新演出が実行されるとともに進捗量が所定値まで到達する場合と、更新演出が実行されるが進捗量は所定値まで到達しない場合とで、更新条件が成立したと判定するための予め決められた値を異なる値としてもよい。例えば、更新演出は実行されるが進捗量は所定値に到達しない演出パターンの場合、更新条件が成立したと判定するための予め決められた値を、遊技者による演出ボタン１２１の操作回数が到達できない値（例えば、１０００回）に設定することで、演出制御部４０３は、進捗量が所定値に到達しない更新演出を実行可能である。
【０１８５】
また、遊技者が演出ボタン１２１を全く操作しない場合でも、更新演出終了時に、進捗量を所定値まで更新するようにしてもよい。
【０１８６】
（第２実施例）
図１９を参照し、第２実施例について説明する。なお、第２実施例では、１回の更新条件の成立によって、更新表示画像２０２のゲージ２０３の塗りつぶす個数、すなわち、進捗量が更新される量が、１個（第１の値）の場合と、２個（第２の値）の場合とがある点において、第１実施例と異なっている。それ以外の点は、第１実施例と同じである。そのため、第２実施例において第１実施例と同じ部分には、同じ符号を用いるとともに同じ部分の詳細な説明は省略する。
【０１８７】
更新演出における更新表示画像のゲージ２０３の塗りつぶし個数の決定について説明する。図１９は、更新表示画像２０２が表示された画像表示部１０４を並べて示した図である。図１９では、便宜上、各更新表示画像が表示された画像表示部１０４を、更新表示Ｐｒ０〜Ｐｒ５としている。例えば、更新表示Ｐｒ０は、ゲージ２０３が全く塗りつぶされていない、すなわち、進捗量が更新されていない状態を示している。そして、図１９では、下に行くほど進捗量が更新されていることを示している。そして、更新表示Ｐｒ５は、進捗量が所定値（ここでは、５）に到達していることを示している。
【０１８８】
上述のとおり、更新表示画像のゲージ２０３は、１回の更新条件の成立によって、１個（第１の値）又は２個（第２の値）塗りつぶされる。そして、１回の更新条件の成立によって、演出制御部４０３は、確率ｘ１（％）でゲージ２０３を１個塗りつぶし（進捗量を第１の値で更新し）、確率ｘ２（％）で、ゲージ２０３を２個塗りつぶす（進捗量を第２の値で更新する）。このとき、ｘ１（％）＋ｘ２（％）＝１００（％）が成り立つ。ここで想定される確率ｘ１（％）及びｘ２（％）はそれぞれ、「０」よりも大きい、ただし、確率ｘ１（％）又はｘ２（％）のいずれか一方を「０」とすることも可能である。
【０１８９】
このように、１回の更新条件が成立したときに、演出制御部４０３が、更新表示画像のゲージ２０３を１個又は２個の何れかで塗りつぶすようにすることで、更新演出の進捗量の更新の仕方にバリエーションを持たすことができる。これにより、遊技者の興趣性を高めることが可能である。
【０１９０】
（変形例１）
図２０を参照し、変形例について説明する。図２０は、１回の更新条件の成立時におけるゲージ２０３を１個塗りつぶす（進捗量を第１の値で更新する）確率とゲージ２０３を２個塗りつぶす（進捗量を第２の値で更新する）確率とが、現在の塗りつぶされているゲージ２０３の数（すなわち、現在の進捗量）によって、変動する点で、図１９に示す更新表示画像とは異なる。
【０１９１】
図２０に示すように、更新表示Ｐｒ０及びＰｒ１のとき、すなわち、進捗量を示す塗りつぶされたゲージ２０３の数が０又は１のとき、進捗量が第１の特定値とする。第１の特定値は、進捗量の数を示しており、その値は、“０”又は“１”である。また、更新表示Ｐｒ２及びＰｒ３のとき、すなわち、進捗量を示す塗りつぶされたゲージ２０３の数が２又は３のとき、進捗量が第２の特定値とする。第２の特定値は、進捗量の数を示しており、その値は、“２”又は“３”である。
【０１９２】
例えば、更新表示Ｐｒ０のように進捗量が“０”のとき、更新条件の成立によって、演出制御部４０３は、ゲージ２０３を１個塗りつぶす（進捗量を第１の値だけ更新する）又は２個塗りつぶす（進捗量を第２の値だけ更新する）ことができる。更新表示Ｐｒ０において、ゲージ２０３を１個塗りつぶすことで更新表示Ｐｒ１に更新される。また、更新表示Ｐｒ０において、ゲージ２０３を２個塗りつぶすことで更新表示Ｐｒ２に更新される。
【０１９３】
上述のとおり、更新表示画像のゲージ２０３は、１個（第１の値）又は２個（第２の値）塗りつぶされる。そして、進捗量が第１の特定値にあるとき、更新条件の成立によって、演出制御部４０３は、確率ｘ１１（％）でゲージ２０３を１個塗りつぶし（進捗量を第１の値で更新し）、確率ｘ１２（％）で、ゲージ２０３を２個塗りつぶす（進捗量を第２の値で更新する）。また、進捗量が第２の特定値にあるとき、更新条件の成立によって、演出制御部４０３は、確率ｘ２１（％）でゲージ２０３を１個塗りつぶし（進捗量を第１の値で更新し）、確率ｘ２２（％）で、ゲージ２０３を２個塗りつぶす（進捗量を第２の値で更新する）。このとき、ｘ１１（％）＋ｘ１２（％）＝１００（％）、ｘ２１（％）＋ｘ２２（％）＝１００（％）が成り立つ。
【０１９４】
また、進捗量が第１の特定値のときと進捗量が第２の特定値のときとで、ゲージ２０３を２個塗りつぶす（進捗量を第２の値更新する）確率は、異なっている。すなわち、確率ｘ１２（％）と、確率ｘ２２（％）には、ｘ１２（％）＞ｘ２２（％）又はｘ１２（％）＜ｘ２２（％）のいずれかの関係が成り立っている。
【０１９５】
例えば、ｘ１２（％）＞ｘ２２（％）の場合、進捗量が第１の特定値のとき進捗量が第２の特定値のときに比べて、更新条件の成立によって、演出制御部４０３が、ゲージ２０３を２個塗りつぶす（進捗量を第２の値だけ更新する）確率が高くなる。また、ｘ１２（％）＜ｘ２２（％）の場合、進捗量が第２の特定値のとき進捗量が第１の特定値のときに比べて、更新条件の成立によって、演出制御部４０３が、ゲージ２０３を２個塗りつぶす（進捗量を第２の値だけ更新する）確率が高くなる。
【０１９６】
例えば、更新演出の進捗量が第２の特定値のときに進捗量が第１の特定値のときに比べて、進捗量が第２の値で更新されやすい場合、遊技者は、更新演出の開始直後は進捗量の更新がゆっくりで、進捗量が所定値に近づくにしたがって、早くなると認識しやすい。更新演出の進捗量が第１の特定値のときに進捗量が第２の特定値のときに比べて、進捗量が第２の値で更新されやすい場合、遊技者は、更新演出の開始直後は進捗量の更新が早く進み、進捗量が所定値に近づくにしたがって更新がゆっくりになると認識しやすい。このように、進捗量が第２の値で更新される確率を、進捗量の更新状態（ゲージ２０３が塗りつぶされている個数）で変更することで、演出の幅を広げることができ、遊技者が遊技に飽きにくくなる。
【０１９７】
（変形例２）
そして、遊技者が、更新演出の開始直後は進捗量の更新が早く進み、進捗量が所定値に近づくにしたがって更新がゆっくりなるとより認識しやすくするために、進捗量が第２の特定値のときに進捗量を第１の値だけ更新する確率ｘ２１（％）と、進捗量が第２の特定値のときに進捗量を第２の値だけ更新する確率ｘ２２（％）とは、ｘ２１（％）＞＞ｘ２２（％）としてもよい。これにより、進捗量が第２の特定値のときに、進捗量は第２の値だけ更新され難くなる。また、確率ｘ２２は、０又は略０であってもよい。これにより、進捗量が第２の特定値のときに、進捗量は第２の値だけ更新されるのを制限することが可能である。
【０１９８】
また、図１９、２０に示す更新表示Ｐｒ４のように、塗りつぶされているゲージ２０３の個数が４個のとき、すなわち、所定値に対して第１の値だけ少ないとき、塗りつぶし可能なゲージ２０３の個数（更新可能な進捗量の値）は、１個、すなわち、第１の値である。そのため、更新表示Ｐｒ４のときに、更新条件が成立したときには、ゲージ２０３を塗りつぶす個数は、必ず１個である、つまり、第１の値が選択される確率が１００（％）である。すなわち、進捗量が所定の値に到達するために第１の値だけたりないときに、更新条件の成立によって、演出制御部４０３は、１００（％）の確率で、ゲージ２０３を１個塗りつぶす（進捗量を第１の値で更新する）。
【０１９９】
なお、ここで想定される確率ｘ１１（％）、ｘ１２（％）、ｘ２１（％）及びｘ２２（％）は、それぞれ、「０」よりも大きい。ただし、確率ｘ１１（％）及びｘ１２（％）のいずれか一方を「０」とすることは可能であるし、これに代えて又はこれと共に、確率ｘ２１（％）及びｘ２２（％）のいずれか一方を「０」とすることも可能である。
【０２００】
（第３実施例）
図２１を参照して、第３実施例について説明する。第３実施例では、リーチ演出が実行されるときには、ゲージ２０３が１個又は２個塗りつぶされる、すなわち、第１の値又は第２の値で進捗量が更新される。また、リーチ演出が実行されないときには、ゲージ２０３が２個塗りつぶされにくい、すなわち、リーチ演出が実行される場合に比べてリーチ演出が実行されない場合には第２の値で進捗量が更新されにくい点で第２実施例と異なっている。それ以外の点は、第２実施例と同じである。そのため、第３実施例において第２実施例と同じ部分には、同じ符号を用いるとともに同じ部分の詳細な説明は省略する。なお、本実施例では、図２０に示す進捗量の更新状態をリーチ演出が実行される場合として説明し、図２１に示す進捗量の更新状態をリーチ演出が実行されない場合として説明する。
【０２０１】
図２０に示すように、リーチ演出が実行される場合において、ゲージ２０３が２個塗りつぶされる、すなわち、第２の値で進捗量が更新される確率は、進捗量が第１の特定値のときにｘ１２（％）であり、進捗量が第２の特定値のときにｘ２２（％）である。なお、リーチ演出が実行される場合において、第１の値で進捗量が更新される確率は、進捗量が第１の特定値のときにｘ１１（％）であり、進捗量が第２の特定値のときにｘ２１（％）である。
【０２０２】
図２１に示すように、リーチ演出が実行されない場合において、第２の値で進捗量が更新される確率は、進捗量が第１の特定値のときにｘ１２Ｓ（％）であり、進捗量が第２の特定値のときにｘ２２Ｓ（％）である。なお、リーチ演出が実行されない場合において、第１の値で進捗量が更新される確率は、進捗量が第１の特定値のときにｘ１１Ｓ（％）であり、進捗量が第２の特定値のときにｘ２１Ｓ（％）である。ｘ１１Ｓ（％）＋ｘ１２Ｓ（％）＝１００（％）、ｘ２１Ｓ（％）＋ｘ２２Ｓ（％）＝１００（％）である。
【０２０３】
そして、本実施例において、リーチ演出が実行されるときには、第１の値及び第２の値で進捗量を更新し、リーチ演出が実行されないときには、リーチ演出が実行される場合に比べて第２の値で進捗量を更新されにくい。リーチ演出が実行されない場合には、リーチ演出が実行される場合に比べて第２の値で進捗量を更新されにくくするため、確率ｘ１２（％）、ｘ２２（％）、ｘ１２Ｓ（％）及びｘ２２Ｓ（％）は、次の関係が成り立つように決定される。
ｘ１２（％）＞＞ｘ１２Ｓ（％）及び（又は）ｘ２２（％）＞＞ｘ２２Ｓ（％）
【０２０４】
また、リーチ演出が実行されないときには、進捗量を第２の値で更新しないようにしてもよい。その場合、ｘ１２Ｓ（％）＝０（％）及びｘ２２Ｓ（％）＝０（％）である。
【０２０５】
例えば、判定対象ＴＴに対して、更新演出及びリーチ演出を行う特図変動パターン（例えば、図１８に示す特図判定パターンテーブルＴＨｔ＿ａにおいて、特図判定パターンＴＨｐ＿ａ１５、ＴＨｐ＿ａ１６、ＴＨｐ＿ａ２５及びＴＨｐ＿ａ２６）が選択されているときには、演出制御部４０３は、確率ｘ１２（％）及びｘ２２（％）で第２の値で進捗量を更新する。また、判定対象ＴＴに対して、更新演出を行うがリーチ演出を行わない特図変動パターン（例えば、図１８に示す特図判定パターンテーブルＴＨｔ＿ａにおいて、特図判定パターンＴＨｐ＿ａ１２、ＴＨｐ＿ａ１３、ＴＨｐ＿ａ２２及びＴＨｐ＿ａ２３）が選択されているときには、演出制御部４０３は、確率ｘ１２Ｓ（％）及びｘ２２Ｓ（％）で第２の値で進捗量が更新される。
【０２０６】
このように、リーチ演出が実行されないときに、進捗量が第２の値で更新されない又は更新されにくくすることで、遊技者は、更新演出が行われているときに、進捗量が第２の値で更新されたことからリーチ演出が実行されやすいことを認識するため、遊技者を遊技に集中させることができる。また、上述のように、進捗量が所定値まで到達することでリーチ演出が実行されやすいため、進捗量が第１の値だけで更新される場合であっても、遊技者を遊技に集中させることができる。
【０２０７】
なお、本実施例において、「リーチ演出が実行される場合」を「リーチ演出が実行される可能性が高い場合」と読み替え、且つ、「リーチ演出が実行されない場合」を「リーチ演出が実行される可能性が低い場合」と読み替えることも可能である。
【０２０８】
なお、本実施例では、進捗量が第１の特定値のときと第２の特定値のときとの両方で、リーチ演出が行われやすい場合と行われにくい場合とに分けて、進捗量が第２の値で更新される確率を設定しているが、これに限定されない。例えば、進捗量が第１の特定値のときには、リーチ演出の実行の有無にかかわらず、進捗量が第２の値で更新される確率を同じ確率とし、進捗量が第２の特定値のときに、リーチ演出の実行の有無によって、進捗量が第２の値で更新される確率を異なる確率としてもよい。
【０２０９】
この場合、確率ｘ１２（％）、ｘ２２（％）、ｘ１２Ｓ（％）及びｘ２２Ｓ（％）は次のような関係が成り立つように、決定されてよい。
Ｘ１２（％）＝ｘ１２Ｓ（％）、ｘ２２（％）＞＞ｘ２２Ｓ（％）≒０（又は＝０）
【０２１０】
（第４実施例）
図２２を参照して、第４実施例について説明する。更新演出において、更新条件が成立した場合に塗りつぶされていないゲージ２０３が新たに塗りつぶされない、すなわち、進捗量を更新しないことがあり得る点で、第２実施例と異なる。それ以外の点は、第２実施例と同じである。そのため、第４実施例において第２実施例と同じ部分には、同じ符号を用いるとともに同じ部分の詳細な説明は省略する。
【０２１１】
図２２は、更新演出時は、画像表示部１０４に表示される更新表示画像を並べて示した図である。図２２に示すように、進捗量が第１の特定値のときに、更新条件の成立によって、演出制御部４０３は、確率ｘ１０１（％）でゲージ２０３を１個塗りつぶし（進捗量を第１の値で更新し）、確率ｘ１０２（％）で、ゲージ２０３を２個塗りつぶし（進捗量を第２の値で更新し）、確率ｘ１００（％）で、ゲージ２０３を塗りつぶさない（進捗量を更新しない）。
【０２１２】
図２２に示すように、進捗量が第２の特定値のときに、更新条件の成立によって、演出制御部４０３は、確率ｘ２０１（％）でゲージ２０３を１個塗りつぶし（進捗量を第１の値で更新し）、確率ｘ２０２（％）で、ゲージ２０３を２個塗りつぶし（進捗量を第２の値で更新し）、確率ｘ２００（％）で、ゲージ２０３を塗りつぶさない（進捗量を更新しない）。
【０２１３】
図２２に示すように、進捗量が４のときには、塗りつぶすことが可能なゲージ２０３が１個だけである。そのため、進捗量が４のときに、更新条件の成立によって、演出制御部４０３は、確率ｘ２１１（％）でゲージ２０３を１個塗りつぶし（進捗量を第１の値で更新し）、確率ｘ２１０（％）で、ゲージ２０３を塗りつぶさない（進捗量を更新しない）。なお、ゲージ２０３を２個塗りつぶす（進捗量を第２の値で更新する）確率は０（％）であると解することもできる。
【０２１４】
そして、確率ｘ１０１（％）、ｘ１０２（％）及びｘ１００（％）は、次の関係が成り立つように決定されている。
ｘ１０１（％）＋ｘ１０２（％）＋ｘ１００（％）＝１００（％）、ｘ１０１（％）≠０（％）、ｘ１０２（％）≠０（％）、ｘ１００（％）≠０（％）
【０２１５】
また、確率ｘ２０１（％）、ｘ２０２（％）及びｘ２００（％）は、次の関係が成り立つように決定されている。
ｘ２０１（％）＋ｘ２０２（％）＋ｘ２００（％）＝１００（％）、ｘ２０１（％）≠０（％）、ｘ２０２（％）≠０（％）、ｘ２００（％）≠０（％）
【０２１６】
さらに、確率ｘ２１１（％）及びｘ２１０（％）は、次の関係が成り立つように決定されている。
ｘ２１１（％）＋ｘ２１０（％）＝１００（％）、ｘ２１１（％）≠０（％）、ｘ２１０（％）≠０（％）
【０２１７】
なお、第２の値が２以外の値に設定されている場合もある。その場合、現在の進捗量と所定値との差が第２の値未満であるとき、進捗量を第２の値で更新する確率は、０（％）とすることも可能である。例えば、第２の値が３であるとすると、所定値（５）との差が第２の値（３）未満となるのは、進捗量が３又は４のときである。そのため、現在の進捗量が３以上（３又は４）のときには、進捗量を第２の値で更新する確率を０（％）とする。
【０２１８】
このように、更新演出において更新条件が成立した場合でも、演出制御部４０３が進捗量を更新しない場合を含みうることで、遊技者の演出ボタン１２１の操作回数にかかわらず、更新演出の長さを一定の長さとすることが可能である。例えば、遊技者による演出ボタン１２１の連打が速いとき、更新条件が成立しても進捗量の更新を行わない場合を組み合わせることで、進捗量が所定値に達するときを更新演出の終了時に、合わせることが可能である。このとき、進捗量が所定値に到達したときに、演出が切り替わる（更新演出が終了する）ため、演出の興趣性を高めることができる。
【０２１９】
なお、確率ｘ１００（％）と確率ｘ２００（％）とは、異なる値であってもよい。例えば、ｘ１００（％）＞ｘ２００（％）であってもよいし、ｘ１００（％）＜ｘ２００（％）であってもよい。
【０２２０】
なお、進捗量が４のときに、第２の値で更新する場合、上述の実施例では、第２の値で更新する確率を０（％）としているが、これに限定されない。例えば、第２の特定値と同じ確率を利用し、更新条件の成立によって、更新しない以外が選択されたときには、演出制御部４０３は、所定値を第１の値で更新するようにしてもよい。また、現在の進捗量と所定値との差が、第２の値よりも小さい場合がある。このような場合、更新条件の成立によって、更新しない以外が選択されたときには、演出制御部４０３は、第１の値で更新を行うとしてもよい。
【０２２１】
本実施例では、進捗量を第１の値で更新される確率と第２の値で更新される確率とを、現在の進捗量によって変更しているが、これに限定されず、現在の進捗量にかかわらず、進捗量を第１の値で更新される確率と第２の値で更新される確率とを、それぞれ一定の値としてもよい。また、進捗量を第１の値で更新する場合と第２の値で更新する場合とがあるが、これに限定されず、１つの値（例えば、第１の値）ずつ更新されるようにしてもよい。さらには、特別演出であるリーチ演出が実行される場合とされない場合とで、進捗量が第１の値で更新される確率、進捗量が第２の値で更新される確率及び進捗量が更新される確率の一部又はすべてを異なる確率としてもよい。
【０２２２】
例えば、リーチ演出が実行されない場合には、更新表示Ｐｒ３のときの進捗量が第２の値で更新される確率ｘ２０２≒０（％）とし、更新表示Ｐｒ４のときの進捗量が第１の値で更新される確率ｘ２１１≒０（％）としてもよい。このようにすることで、リーチ演出が実行されない場合には、進捗量を所定値に到達させにくくすることができる。
【０２２３】
（変形例１）
また、例えば、リーチ演出が実行されない場合には、更新表示Ｐｒ３のときの進捗量が第２の値で更新される確率ｘ２０２を０（％）とし、更新表示Ｐｒ４のときの進捗量が第１の値で更新される確率ｘ２１１を０（％）としてもよい。このようにすることで、リーチ演出が実行されない場合には、進捗量を所定値に到達させないようにすることができる。
【０２２４】
これにより、リーチ演出が実行されない場合において、演出制御部４０３は、更新条件が成立した場合であっても、進捗量を所定の量まで更新させることはない。一方で、リーチ演出が行われるときには、演出制御部４０３は、更新条件の成立によって、進捗量が所定値まで更新させることが可能である。このように、確率ｘ２０２及びｘ２１１を０（％）とすることで、リーチ演出が実行される場合における確率ｘ２０２及びｘ２１１を０（％）より大きくするとともに、リーチ演出が実行されない場合における確率ｘ２０２及びｘ２１１を０（％）にすることで、リーチ演出が実行される場合には、更新演出において、進捗量を所定値まで更新可能であるとともに、リーチ演出が実行されない場合において、進捗量を所定値まで更新させないようにすることができる。
【０２２５】
なお、進捗量が所定値まで更新されてもリーチ演出が行われない場合が含まれてよい。この場合、進捗量が所定値まで更新されたときには、リーチ演出が実行され易い、すなわち、リーチ演出が実行されない場合よりも、リーチ演出が実行される場合の方が選択される確率が高い。
【０２２６】
また、更新演出は、一定時間が経過することで終了するものであり、判定対象ＴＴに対して、リーチ演出（特別演出）が行われる場合において、更新演出が終了する直前に、塗りつぶされていないゲージ２０３の数にかかわらず、すべてのゲージ２０３が塗りつぶされるようにする、すなわち、更新演出が終了する直前に進捗量を所定値に到達させることができる。これにより、演出制御部４０３は、更新演出において、リーチ演出が行われないときには、進捗量が所定値に到達しないようにし、リーチ演出が行われるときには、進捗量が所定値に到達するようにできる。なお、本変形例において「リーチ演出が行われないとき」を「リーチ演出が行われ難いとき」と読み替え、「リーチ演出が行われるとき」を「リーチ演出が行われやすいとき」と読み替えてもよい。
【０２２７】
（変形例２）
図２３を参照して、進捗量の更新のさらに他の方法について説明する。図２３は、翻字変形例にかかり、画像表示部１０４に表示される更新表示画像２０２を並べて示した図である。なお、本変形例では、図２０に示すように、ゲージ２０３の塗りつぶしは１個又は２個ずつ、すなわち、進捗量の更新が第１の値又は第２の値ずつ行われるものとする。
【０２２８】
図２３に示すように、現在の進捗量が０〜２のとき、更新条件の成立によって、演出制御部４０３は、確率ｘ３１（％）で進捗量を第１の値で更新し、確率ｘ３２（％）で第２の値で更新する。なお、ｘ３１（％）＋ｘ３２（％）＝１００（％）である。ここで想定される確率ｘ３１（％）及びｘ３２（％）はそれぞれ、「０」よりも大きい。ただし、確率ｘ３１（％）及びｘ３２（％）のいずれか一方を「０」とすることも可能である。また、現在の進捗量が所定量（３）のときには、更新条件の成立によって進捗量を更新しない場合が含まれる。現在の進捗量が所定量のとき、更新条件の成立によって、演出制御部４０３は、確率ｘ３００（％）で進捗量を更新せず、確率ｘ３０１（％）で進捗量を第１の値で更新し、確率ｘ３０２（％）で進捗量を第２の値で更新する。なお、ｘ３００（％）＋ｘ３０１（％）＋ｘ３０２（％）＝１００（％）である。ここで想定される確率ｘ３００（％）、ｘ３０１（％）及びｘ３０２（％）はそれぞれ、「０」よりも大きい。ただし、確率ｘ３００（％）、ｘ３０１（％）及びｘ３０２（％）の少なくとも一つを「０」とすることも可能である。
【０２２９】
本変形例では、所定値との差が第２の値となるように所定量を設定しているが、所定値との差が第１の値となるように所定量を設定してもよい。また、所定値との差が第１の値となる第１所定量と第２の値となる第２所定量の両方で進捗量の更新を行わない場合を含んでよい。
【０２３０】
また、第１の値で更新される確率と、第２の値で更新される確率とを現在の進捗量によって、変更するようにしてもよい。このとき、所定量（第１所定量及び第２所定量のいずれか一方又は両方を含む）のときにだけ、更新を行わない場合を含むものである。
【０２３１】
また、上述の各実施例において、更新演出において、１回の更新条件の成立に基づいて、進捗量を所定値まで更新するようにしてもよい。
【０２３２】
（第５実施例）
図２４（ａ）〜（ｃ）を参照し、更新演出における更新表示画像２０２のゲージ２０３の塗りつぶしの他の例について説明する。図２４（ａ）〜（ｃ）に示す更新演出では、７個のゲージ２０３を備えている。そして、図２４（ａ）に示すように、本実施例の更新演出では、所定値が５個であり、更新演出において更新表示画像２０２のゲージ２０３が５個塗りつぶされた場合（すなわち、進捗量が所定値に到達した場合）には、上述したリーチ演出（以下、通常リーチ演出とする）が実行されやすくなる。
【０２３３】
また、図２４（ｂ）に示すように、更新演出において、更新表示画像２０２のゲージ２０３が６個塗りつぶされた場合（すなわち、進捗量が所定値＋１に到達した場合）には、通常リーチ演出が実行される場合に比べて、判定対象ＴＴが大当たりである期待度が高いことを示唆するリーチ演出（以下、ＳＰリーチ演出とする）が実行されやすい。なお、図２４（ｂ）に示すように、ＳＰリーチ演出では、示唆画像における主人公キャラ１１１０と主人公の味方キャラ１１１１が表示されることで、通常リーチとは異なる演出としているが、遊技上の課題（例えば、主人公キャラクタが敵キャラクタに勝利すること）は同じである。
【０２３４】
さらに、図２４（ｃ）に示すように、更新演出において、更新表示画像２０２のゲージ２０３が７個塗りつぶされた場合（すなわち、進捗量が所定値＋２に到達した場合）には、ＳＰリーチ演出が実行される場合に比べて、判定対象ＴＴが大当たりである期待度が高いリーチ演出（以下、ＳＰＳＰリーチ演出とする）が実行されやすい。なお、図２４（ｃ）に示すように、ＳＰＳＰリーチ演出では、示唆画像における主人公キャラ１１１０と主人公の味方キャラ１１１１が２人表示されることで、通常リーチとは異なる演出としているが、遊技上の課題（例えば、主人公キャラクタが敵キャラクタに勝利すること）は同じである。
【０２３５】
演出制御部４０３は、判定対象ＴＴに対する特図判定の結果に基づきリーチ演出を実行する場合、判定対象ＴＴが大当たりであれば、リーチ演出として通常リーチ演出よりもＳＰリーチ演出が実行される確率が高く且つＳＰリーチ演出よりもＳＰＳＰリーチ演出が実行される確率がさらに高くなるように、及び、判定対象ＴＴがハズレであればリーチ演出として通常リーチ演出よりもＳＰリーチ演出が実行される確率が低く且つＳＰリーチ演出よりもＳＰＳＰリーチ演出が実行される確率がさらに低くなるように、リーチ演出の種類を決定すると良い。
【０２３６】
本実施例に示す更新演出では、進捗量が所定値に到達する又は所定値を超える（本実施例では、進捗量が所定値になる又は所定値以上になる）ことで、特別演出であるリーチ演出が実行される可能性が高いことを示唆する。そして、演出制御部４０３が、判定対象ＴＴが大当たりである期待度が異なるリーチ演出（通常リーチ演出、ＳＰリーチ演出、ＳＰＳＰリーチ演出）を実行可能であり、更新演出における進捗量が所定値の先の値に到達可能としており、所定値を超える値に到達することで、通常リーチ演出よりも大当たりの期待度が高い、ＳＰリーチ演出或いはＳＰＳＰリーチ演出が実行されやすいことを示唆する。
【０２３７】
更新演出は、開始から一定時間経過することで終了するものであり、例えば、進捗量が所定値に到達した後でも、さらにその上、すなわち、所定値＋１（ここでは、６）、所定値＋２（ここでは、７）に更新される。これにより、遊技者による演出ボタン１２１の操作によって、更新演出が終了する前に進捗量が所定値に到達した場合であっても、その後、さらに進捗量が更新され得るので、遊技者の意識を更新演出に向け続けることが可能である。
【０２３８】
具体的には、例えば、変動演出において、
更新演出を実行した上でリーチ演出として通常リーチ演出を実行する場合には、更新演出において進捗量が所定値（ここでは、５）に到達するが、所定値＋１（ここでは、６）に到達せず、
更新演出を実行した上でリーチ演出としてＳＰリーチ演出を実行する場合には、更新演出において進捗量が所定値＋１（ここでは、６）に到達するが、所定値＋２（ここでは、７）に到達せず、
更新演出を実行した上でリーチ演出としてＳＰＳＰリーチ演出を実行する場合には、更新演出において進捗量が所定値＋２（ここでは、７）に到達するようにすると良い。
【０２３９】
ここで、所定値＋１（ここでは、６）に到達せずとは、更新演出の実行中において、進捗量が所定値に到達すると、それ以上は更新条件が成立しないこと、或いは、更新条件の成立状態の如何にかかわらず（更新条件が演出ボタン１２１への操作入力で成立する場合にあっては、演出ボタン１２１の入力操作状況にかかわらず）進捗量が増加しないことを意味する。同様に、所定値＋２（ここでは、７）に到達せずとは、更新演出の実行中において、進捗量が所定値＋１（ここでは、６）に到達すると、それ以上は更新条件が成立しないこと、或いは、更新条件の成立状態の如何にかかわらず（更新条件が演出ボタン１２１への操作入力で成立する場合にあっては、演出ボタン１２１の入力操作状況にかかわらず）進捗量が増加しないことを意味する。
【０２４０】
或いは、例えば、変動演出において、
更新演出を実行した上でリーチ演出として通常リーチ演出を実行する場合には、更新演出において進捗量が所定値（ここでは、５）に到達するが、リーチ演出としてＳＰリーチ演出又はＳＰＳＰリーチ演出を実行する場合よりも、更新演出において進捗量が、所定値＋１（ここでは、６）に到達し難く（到達確率は、０％よりも大きい）、
更新演出を実行した上でリーチ演出としてＳＰリーチ演出を実行する場合には、更新演出において進捗量が所定値＋１（ここでは、６）に到達するが、リーチ演出としてＳＰＳＰリーチ演出を実行する場合よりも、更新演出において進捗量が、所定値＋２（ここでは、７）に到達し難くしてもよい（到達確率は、０％よりも大きい）。
【０２４１】
更新演出を実行した上でリーチ演出として通常リーチ演出を実行する場合には、更新演出を実行した上で得リーチ演出としてＳＰリーチ演出又はＳＰＳＰリーチ演出を実行する場合よりも、更新演出において進捗量が所定値＋１（ここでは、６）に到達し難くする方法としては、更新演出の実行中において、進捗量が所定値に到達すると、それ以上は、後者の場合よりも前者の場合において更新条件を成立させ難くする、或いは、更新条件の成立状態の如何にかかわらず（更新条件が演出ボタン１２１の操作入力で成立する場合にあっては、演出ボタン１２１の入力操作状況にかかわらず）後者の場合よりも前者の場合において、進捗量を増加させにくくすることを意味する。更新演出において、進捗量が、所定値＋２（ここでは、７）に到達し難くする方法も同様である。
【０２４２】
なお、進捗量の最大値が７の場合、進捗量が６のときに第２の値で更新しないようしている。すなわち、本実施例では、現在の進捗量と最大値との差が第２の値未満のとき、進捗量を第２の値で更新しない。
【０２４３】
また、更新演出において、１回の更新条件の成立に基づいて、進捗量を所定値＋１または最大値まで更新するようにしてもよい。
【０２４４】
（第６実施例）
上述の第１〜第５実施例では、特別遊技状態である大当たり遊技状態になる可能性が高いことを示唆する特別演出としてリーチ演出を挙げている。しかしながら、特別演出はリーチ演出に限定されない。特別遊技状態になるか否かを示唆する当落演出、特別遊技状態になることが確定していることを示唆する大当たり確定演出も特別演出に含まれる。演出制御部４０３はそこで、本実施例において、当落演出が実施される可能性があることを示唆する更新演出を、当落演出の前に実行する。以下に、本実施例について詳細に説明する。
【０２４５】
図２５を参照し、図１６に示す状況α１を基準として、タイミングＴＡ４１にて当落演出が実行される（以下、図２５に示す状況を状況α３とする）。状況α３において、任意の整数ｉに関し、タイミングＴＡ（ｉ＋１）はタイミングＴＡｉよりも後のタイミングであるとする。また、状況α１、状況α２、状況α３とは別の状況であり、状況α１及び状況α２の各タイミングと状況α３の各タイミングとの間には、特に記載がない限り、関連はないものとする。
【０２４６】
図２５に示すように、状況α３では、タイミングＴＡ３０までは状況α１と同じであり、タイミングＴＡ３０の後のタイミングＴＡ４１において、演出制御部４０３は、画像表示部１０４に更新条件の成立のために遊技者が行う操作画像２０１及び更新表示画像２０２を消去する。演出制御部４０３は、それと同時に、大サイズの第１〜第３装飾図柄の内、第１及び第２装飾図柄を同じ図柄（ここでは、数字の２）で仮停止させる。すなわち、演出制御部は、第１及び第２装飾図柄をリーチ目の態様で仮停止表示させる。なお、タイミングＴＡ４１における、画像表示部１０４の表示画像は、状況α１のタイミングＴＡ４０における画像表示部１０４の表示画像と同じである。
【０２４７】
その後、演出制御部４０３は、所定の演出を実行した後、タイミングＴＡ７２において、変動停止コマンドの受信に応答して、第１〜第３装飾図柄（ＳＺＬ、ＳＺＲ、ＳＺＣ）をゾロ目の態様（ここでは、２のゾロ目）で停止表示する。なお、タイミングＴＡ７２の画像表示部１０４の表示画像は、状況α１における、タイミングＴＡ７０の画像表示部１０４の表示画像と同じであり、その後、大当たり遊技が実行される。
【０２４８】
このように、更新演出は、特別演出である当落演出が実行される可能性があることを、示唆する演出となっている。なお、上述の例では、演出制御部４０３は、タイミングＴＡ３０にて進捗量を所定値に到達させているが、到達させなくてもよい。なお、進捗量が所定値に到達しても当落演出が実行されない場合もあり、進捗量が所定値に到達しなくても当落演出が実行される場合もあり得る。そして、進捗量が所定値に到達した場合には、進捗量が所定値に到達しない場合よりも当落演出が実行されやすくてよい。また、当落演出が実行される場合に進捗量が所定値に到達可能であり、当落演出が実行されない場合には、進捗量が所定値に到達しないようにしてもよい。
【０２４９】
（変形例）
本変形例において、演出制御部４０３は、大当たり確定演出が実施される可能性があることを示唆する更新演出を、大当たり確定演出の前に実行する。以下に、本実施例について詳細に説明する。
【０２５０】
図２６を参照し、図２５に示す状況α３を基準として、タイミングＴＡ１０にて変動演出が開始された後、所定の演出を経て、タイミングＴＡ４２にて第１装飾図柄及び第２装飾図柄が同図柄で仮停止され、その後、更新演出が実行される（以下、図２６に示す状況を状況α４とする）。状況α４において、任意の整数ｉに関し、タイミングＴＡ（ｉ＋１）はタイミングＴＡｉよりも後のタイミングであるとする。また、状況α１〜状況α３と状況α４とは別の状況であり、状況α１〜状況α３の各タイミングと状況α４の各タイミングとの間には、特に記載がない限り、関連はないものとする。
【０２５１】
図２６に示すように、状況α４において、演出制御部４０３は、状況α３と同じくタイミングＴＡ１０にて、演出制御部４０３は、第１〜第３装飾図柄の変動表示を開始する。そして、その後のタイミングＴＡ４２にて、演出制御部４０３は、大サイズの第１〜第３装飾図柄の内、第１及び第２装飾図柄を同じ図柄（ここでは、数字の２）で仮停止させる。タイミングＴＡ４２の画像表示部１０４の表示画像は、図２５に示す状況α３のタイミングＴＡ４１の画像表示部１０４の表示画像と同じである。
【０２５２】
演出制御部４０３は、タイミングＴＡ４３にて、更新演出を開始する。そして、タイミングＴＡ４４にて、進捗量が所定値に到達した状態で、更新演出を終了する。その後、演出制御部４０３は、タイミングＴＡ４５にて、第１〜第３装飾図柄をゾロ目の態様（ここでは、数字の２）で仮停止させる。すなわち、演出制御部４０３は、タイミングＴＡ４５において、大当たり遊技の実行が確定されたことを示唆する特別演出である、大当たり確定演出を実行する。
【０２５３】
その後、演出制御部４０３は、所定の演出を実行した後、タイミングＴＡ７３において、変動停止コマンドの受信に応答して、第１〜第３装飾図柄（ＳＺＬ、ＳＺＲ、ＳＺＣ）をゾロ目の態様（ここでは、２のゾロ目）で停止表示する。なお、タイミングＴＡ７３は、状況α１における、タイミングＴＡ７０と同じであり、その後、大当たり遊技が実行される。
【０２５４】
このように、更新演出は、特別演出である大当たり確定演出が実行される可能性があることを、示唆する演出となっている。なお、上述の例では、演出制御部４０３は、タイミングＴＡ４４にて進捗量を所定値に到達させているが、到達させなくてもよい。なお、進捗量が所定値に到達しても大当たり確定演出が実行されない場合もあり、進捗量が所定値に到達しなくても大当たり確定演出が実行される場合もあり得る。そして、進捗量が所定値に到達した場合には、進捗量が所定値に到達しない場合よりも大当たり確定演出が実行されやすくてよい。また、大当たり確定演出が実行される場合に、進捗量が所定値に到達可能であり、大当たり確定演出が実行されない場合には、進捗量が所定値に到達しないようにしてもよい。
【０２５５】
（第７実施例）
特別演出には、昇格演出も含まれる。演出制御部４０３はそこで、本実施例では、昇格演出が実行される可能性があることを示唆するため、昇格演出が実行される前に更新演出を実行する。以下に、本実施例について詳細に説明する。
【０２５６】
図２７に示される状況β１を考える。任意の整数ｉに関し、タイミングＴＢ（ｉ＋１）はタイミングＴＢｉよりも後のタイミングであるとする。任意の整数ｉに関し、タイミングＴＢ（ｉ＋１）はタイミングＴＢｉよりも後のタイミングであるとする。状況β１は、低確率非電サポ遊技状態から図６の特Ａ又は通Ａの大当たり遊技を実行した後、電サポ遊技状態に切り替わったものとする。タイミングＴＢ１０にて、遊技機１００は、右打ちを継続して行うとともに第２始動条件の成立に基づく特図判定を行う遊技状態、すなわち、電サポ遊技状態に突入する。このとき、演出制御部４０３は、画像表示部１０４の中央に大サイズの第１〜第３装飾図柄（ＳＺＬ、ＳＺＲ、ＳＺＣ）を変動表示する。また、同時に、演出制御部４０３は、画像表示部１０４の右上に、右打ち画像Ｓ２を表示する。
【０２５７】
そして、タイミングＴＢ２０にて、電サポ遊技状態における特図変動の回数が１５回となると、演出制御部４０３は、画像表示部１０４の右端に、残回数表示Ｓ３を実行する。なお、残回数とは、現在の遊技状態が、低確率電サポ遊技状態である場合の右打ちによる遊技の終了までの回数である。タイミングＴＢ３０で電サポ遊技状態における特図変動の回数が２０回となると、演出制御部４０３は、画像表示部１０４の右端の残回数表示Ｓ３を０回にする。その後、タイミングＴＢ４０にて、更新演出が開始され、タイミングＴＢ５０にて、進捗量が所定値まで到達した状態で更新演出が終了する。その後、タイミングＴＢ６０にて、昇格演出が実行されて、右打ち継続の表示と共に、右打ちによる遊技、すなわち、高確率電サポ遊技が確定する。
【０２５８】
このように、更新演出は、電サポ遊技中において、特別演出である昇格演出が実行される可能性があることを、示唆する演出となっている。なお、上述の例では、演出制御部４０３は、タイミングＴＢ５０にて進捗量を所定値に到達させているが、到達させなくてもよい。なお、進捗量が所定値に到達しても昇格演出が実行されない場合もあり、進捗量が所定値に到達しなくても昇格演出が実行される場合もあり得る。そして、進捗量が所定値に到達した場合には、進捗量が所定値に到達しない場合よりも昇格演出が実行されやすくてよい。また、昇格演出が実行される場合、進捗量が所定値に到達可能であり、昇格演出が実行されない場合には、進捗量が所定値に到達しないようにしてもよい。
【０２５９】
（第８実施例）
演出制御部４０３は、主制御部４０１からの保留増加コマンドを受信すると、事前判定の結果に基づいて、先読み予告演出を行うことが可能である。そして、先読み予告演出には、保留画像（保１画像〜保４画像の少なくとも一つ）の表示態様を変化させる演出である、保留変化演出が含まれている。そこで、本実施例では、更新演出を行った後に、保留変化演出を実行する。以下に、本実施例について詳細に説明する。なお、本実施例の更新演出は、第１実施例〜第７実施例の更新演出と異なる部分がある。その部分については、別途図面を参照して説明する。
【０２６０】
図２８に示される状況γ１を考える。任意の整数ｉに関し、タイミングＴＣ（ｉ＋１）はタイミングＴＣｉよりも後のタイミングであるとする。任意の整数ｉに関し、タイミングＴＣ（ｉ＋１）はタイミングＴＣｉよりも後のタイミングであるとする。また、特図判定用情報Ｊ３に対する事前判定の結果を示す情報を含んだ保留増加コマンドに基づき、演出制御部４０３は、特図判定用情報Ｊ３に対応する保留画像を保留画像Ｈ３とし、且つ、特図判定用情報Ｊ３を先読み対象として保留変化演出を行う場合について説明する。なお、保留変化演出は、先読み対象である特図判定用情報Ｊ３の大当たりの期待度（先読み対象が大当たり遊技を行うと判定されることになる期待度）が所定期待度ＫＴＲＥＦよりも高いことを示唆する演出であり、保留画像Ｈ３に対応する特図判定用情報Ｊ３への事前判定の結果が、大当たりに当選している可能性が高いことを示唆する特別演出の一つである。
【０２６１】
特別図柄の変動表示中に（従って装飾図柄の変動表示中に）、特図判定用情報記憶領域４１３ａに特図判定用情報Ｊ１が記憶された後に特図判定用情報Ｊ２が記憶され、更にその後、タイミングＴＣ１０にて特図判定用情報Ｊ３が記憶されたとする。
【０２６２】
画像Ｈ１〜Ｈ３は、それぞれ、特図判定用情報Ｊ１〜Ｊ３についての保Ｘ画像を表している。また、画像Ｈ０はタイミングＴＣ１０での当該権利画像（保０画像）である。タイミングＴＣ１０においては、画像Ｈ１〜Ｈ３は、夫々、保１画像〜保３画像（図７参照）である。
【０２６３】
タイミングＴＣ２０にて、当該権利画像Ｈ０に対応する特図判定用情報に対してハズレの態様で特別図柄が停止表示された（従って装飾図柄もバラケ目の態様で停止表示された）後、タイミングＴＣ３０にて特図判定用情報Ｊ１が判定対象ＴＴとなり、保１画像であった画像Ｈ１が当該権利画像として、位置ＨＰ０に表示される。このとき、演出制御部４０３は画像Ｈ２を位置ＨＰ１に画像Ｈ３を位置ＨＰ２にそれぞれ移動させて表示する。そして、特図判定用情報Ｊ１に対する特別図柄の変動表示が開始される際、装飾図柄の変動表示を含む変更演出が実行される。
【０２６４】
図２９に示すように、演出制御部４０３は、変動している大サイズの第１〜第３装飾図柄（ＳＺＬ、ＳＺＲ、ＳＺＣ）と、小型の操作画像２０１、更新表示画像２０２及びゲージ２０３とを同時に表示して更新演出を行っている。
【０２６５】
タイミングＴＣ４０にて、演出制御部４０３は、進捗量が所定値に到達した状態で更新演出を終了する。そして、タイミングＴＣ５０にて、演出制御部４０３は、保留変化演出を実行することで、保留画像Ｈ３の表示の態様（ここでは、色）を変化させる。ここでは、保留画像Ｈ３の色が、白から青に変化している。保留画像Ｈ３の色が白から青に変化することで、保留画像Ｈ３に対応する特図判定用情報Ｊ３への事前判定の結果が、変化する前に比べて大当たりに当選している可能性が高いことを示唆する。なお、保留画像の色は、期待度が低い方から高い方に白から青、緑又は赤に、青から緑又は赤に、緑から赤に変化するものとする。その後、情報Ｊ１、Ｊ２、Ｊ３に対する特別図柄の変動表示及び装飾図柄の変動表示が順次行われる。
【０２６６】
このように、更新演出は先読み予告演出である保留変化演出が実行される可能性があることを示唆する演出として実行され得る。本実施例において、タイミングＴＣ４０にて、進捗量が所定値に到達しているが、進捗量が所定値に到達しない場合も含み得る。また、タイミングＴＣ５０にて、保留画像Ｈ３の表示態様が変化しているが変化しない場合も含み得る。そして、更新演出において進捗量が所定値に到達した場合、進捗量が所定値に到達しない場合に比べて、保留変化演出が実行されやすい。なお、保留変化演出が実行されるときに、進捗量が所定値に到達可能であり、保留変化演出が実行されないときには、進捗量が所定値の到達しないようにしてもよい。
【０２６７】
＜＜発明の考察＞＞
上述の実施形態にて具現化された発明について考察する。
【０２６８】
本発明の一側面に係る遊技機１００は、遊技者に有利な特別遊技状態にするか否かの判定（判定対象ＴＴ／先読み判定対象Ｊ１、Ｊ２、Ｊ３等）を行う判定手段と、所定の演出を実行可能な演出実行手段４０３と、備え、前記演出実行手段４０３は、前記判定の結果に基づいて、前記特別遊技状態（例えば、通常遊技状態に対する大当たり遊技状態、低確率遊技状態に対する高確率遊技状態、非電サポ遊技状態に対する電サポ遊技状態等）になる可能性が高いことを示唆する特別演出（例えば、リーチ演出、当落演出、大当たり確定演出、昇格演出、保留変化演出等）を実行可能であり、前記特別演出が実行される可能性があることを示唆する演出であって、所定の更新条件（あおり演出（図１５）／ボタン操作図（１３、図１４等））が成立するごとに、進捗量（アイテム２０６／ゲージ２０３）を更新させることが可能な更新演出（連打ゲージ、アイテム貯留）を実行可能にし、前記更新演出において、前記進捗量を所定値まで又は所定値を超えて更新させるときと、前記進捗量を前記所定値まで更新させないときとがあり、前記更新条件が成立した場合、前記進捗量を第１の値だけ更新させるときと、前記第１の値よりも大きい第２の値だけ更新させるときとがあり、前記進捗量が前記所定値まで又は所定値を超えて更新されたときは、前記特別演出が実行されやすいことを特徴とする。
【０２６９】
更新演出において、進捗量を更新する値として、第１の値と第２の値のいずれかで更新するため、遊技者から見て、進捗量の更新のされ方に変化があり、遊技者の意識を更新演出に向けやすい。また、更新演出において進捗量が所定値まで更新された時は、更新されないときに比べて、特別演出が実行されやすいため、遊技者を更新演出に集中させることが可能である。これにより、遊技者によって、興趣性が高い遊技を提供することが可能である。
【０２７０】
例えば、遊技機１００において、前記進捗量が、第１の特定値（進捗量が、０〜１）のときと、前記第１の特定値よりも大きい第２の特定値（２〜３）のときとで、前記進捗量を前記第２の値だけ更新される確率が異なる（図２０参照）。
【０２７１】
このように、現在の進捗量によって、進捗量を第１の値で更新する確率と第２の値で更新する確率を変える場合、例えば、更新演出の進捗量が第２の特定値のときに進捗量が第１の特定値のときに比べて、進捗量が第２の値で更新されやすい場合、遊技者は、更新演出の開始直後は進捗量の更新がゆっくりで、進捗量が所定値に近づくにしたがって、早くなると認識しやすい。更新演出の進捗量が第１の特定値のときに進捗量が第２の特定値のときに比べて、進捗量が第２の値で更新されやすい場合、遊技者は、更新演出の開始直後は進捗量の更新が早く進み、進捗量が所定値に近づくにしたがって更新がゆっくりなると認識しやすい。このように、進捗量が第２の特定値で更新される確率を、進捗量の更新状態で変更することで、演出の幅を広げることができ、遊技者が遊技に飽きにくくなる。
【０２７２】
例えば、遊技機１００において、前記演出実行手段は、前記更新条件が成立した場合、前記進捗量が、前記第１の特定値のときは、前記進捗量を前記第１の値だけ又は前記第２の値だけ更新させるときがあり、前記進捗量が、第２の特定値のときは、前記進捗量を前記第２の値だけ更新させることを制限するようにしてもよい。
【０２７３】
これにより、進捗量が所定値に近づいた時には、進捗量がゆっくり更新されるので、更新演出が開始されてすぐに、進捗量が所定値に到達してしまうのを抑制できる。これにより、更新演出の途中で遊技者が飽きにくくなる。
【０２７４】
本発明の一側面に係る遊技機１００は、遊技者に有利な特別遊技状態（大当たり／確変）にするか否かの判定を行う判定手段と、所定の演出を実行可能な演出実行手段４０３と、備え、前記演出実行手段４０３は、前記判定の結果に基づいて、前記特別遊技状態になる可能性が高いことを示唆する特別演出（リーチ演出／大当たり確定演出／当落演出／昇格演出）を実行可能であり、前記特別演出が実行される可能性があることを示唆する演出であって、所定の更新条件（あおり演出／ボタン操作）が成立するごとに、進捗量（アイテム／ゲージ）を更新させることが可能な更新演出（アイテム貯留／連打ゲージ）を実行可能にし、前記更新演出において、前記進捗量を所定値まで又は所定値（５／７個）を超えてまで更新させるときと、前記進捗量を前記所定値まで更新させないときとがあり、前記更新条件が成立した場合、前記進捗量を第１の値（１個）だけ更新させるときと、前記第１の値よりも大きい第２の値（２〜３個／５〜７個）だけ更新させるときとがあり、前記特別演出が実行される場合に前記進捗量を前記第２の値だけ更新させることが可能であり、前記特別演出が実行されない場合に前記進捗量を前記第２の値だけ更新させず、前記進捗量が前記所定値まで又は所定値を超えて更新されたときは、前記特別演出が実行されやすいことを特徴とする（図２１参照）。
【０２７５】
第２の値で更新される場合には、特別演出が実行されやすいため、更新演出において、進捗量が第２の値で更新された時には、特別演出への期待が高まる。これにより、遊技機の興趣性の向上を図ることができる。
【０２７６】
本発明の一側面に係る遊技機１００は、遊技者に有利な特別遊技状態（大当たり／確変）にするか否かの判定を行う判定手段と、所定の演出を実行可能な演出実行手段と、備え、前記演出実行手段は、前記判定の結果に基づいて、前記特別遊技状態になる可能性が高いことを示唆する特別演出（リーチ演出／大当たり確定演出／当落演出／昇格演出）を実行可能であり、前記特別演出が実行される可能性を示唆する演出であって、所定の更新条件（あおり演出／ボタン操作）が成立するごとに、進捗量（アイテム／ゲージ）を更新させることが可能な更新演出（アイテム貯留／連打ゲージ）を実行可能にし、前記更新条件が成立した場合、前記進捗量を更新させるときと、前記更新させないときとがあることを特徴とする（図２２参照）。
【０２７７】
更新条件が成立しても、進捗量を更新させない場合があることで、更新演出の開始直後に所定値に到達してしまうのを防ぐことができる。また、進捗量が更新されない場合には、更新条件が成立した場合でも、進捗量を所定値まで到達させないようにすることができる。これにより、更新演出が終了するまで、遊技者の注意を更新演出に向けさせることが可能である。これにより、遊技機の興趣性の向上を図ることができる。
【０２７８】
例えば、遊技機１００において、前記演出実行手段は、前記進捗量が所定量のときに前記更新条件が成立した場合、前記特別演出が実行されても実行されなくても、前記進捗量を更新させないときがある（図２３参照）。
【０２７９】
これにより、更新演出において進捗量に遊技上の意味付けをしておき、所定量で更新させないときが含まれるようにすることで、所定量のときに更新させない場合に、遊技上のストーリが異なる展開になるような演出を実行することも可能である。
【０２８０】
例えば、遊技機１００において、前記進捗量が第１の特定値（０〜１）のときと、前記第１の特定値よりも大きい第２の特定値（２〜３）のときとで、前記進捗量が更新されない確率が互いに異なる（第１の特定値の方が低い／高い）。
【０２８１】
これにより、進捗量が第１の特定値のときと第２の特定値のときとで、進捗量が更新される速さを変更することが可能である。例えば、第１の特定値とき、第２の特定値のときに比べて、更新されない確率が高い場合、進捗量は、第１の特定値の間、ゆっくり更新される。このように、更新演出中で、進捗量が更新される速さを変更することで、演出の幅を広げることができ、遊技者が遊技に飽きにくくなる。
【０２８２】
例えば、遊技機１００において、前記演出実行手段は、前記進捗量を所定値（５／７個）まで又は所定値（５／７個）を超えて更新させるときと、前記進捗量を前記所定値まで更新させないときとがあり、前記更新条件が成立した場合、前記進捗量を第１の値（１個）だけ更新させるときと、前記第１の値よりも大きい第２の値（２〜３個）だけ更新させるときとがあり、前記進捗量が前記所定値まで又は所定値を超えて更新されたときは、前記特別演出が実行されやすい。
【０２８３】
これにより、更新演出の幅を広げることができ、遊技者が遊技に飽きにくくなる。
【０２８４】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。
【０２８５】
また、本発明を、パチンコ遊技機に分類されない、スロットマシンなどの他の遊技機に適用しても良い。パチンコ遊技機では、遊技媒体として遊技球が用いられるが、スロットマシンではコインが遊技媒体として用いられる。
【符号の説明】
【０２８６】
１００  遊技機
１０４  画像表示部
１０５、１０６  始動口
１１１  大入賞口
１３０  盤可動役物
４０１  主制御部（判定手段）
４０３  演出制御部（演出実行手段）
【図１】
2018079075.tif 000003
【図２】
2018079075.tif 000004
【図３】
2018079075.tif 000005
【図４】
2018079075.tif 000006
【図５】
2018079075.tif 000007
【図６】
2018079075.tif 000008
【図７】
2018079075.tif 000009
【図８】
2018079075.tif 000010
【図９】
2018079075.tif 000011
【図１０】
2018079075.tif 000012
【図１１】
2018079075.tif 000013
【図１２】
2018079075.tif 000014
【図１３】
2018079075.tif 000015
【図１４】
2018079075.tif 000016
【図１５】
2018079075.tif 000017
【図１６】
2018079075.tif 000018
【図１７】
2018079075.tif 000019
【図１８】
2018079075.tif 000020
【図１９】
2018079075.tif 000021
【図２０】
2018079075.tif 000022
【図２１】
2018079075.tif 000023
【図２２】
2018079075.tif 000024
【図２３】
2018079075.tif 000025
【図２４】
2018079075.tif 000026
【図２５】
2018079075.tif 000027
【図２６】
2018079075.tif 000028
【図２７】
2018079075.tif 000029
【図２８】
2018079075.tif 000030
【図２９】
2018079075.tif 000031
【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
遊技者に有利な特別遊技状態にするか否かの判定を行う判定手段と、
所定の演出を実行可能な演出実行手段と、備え、
前記演出実行手段は、
前記判定の結果に基づいて、前記特別遊技状態になる可能性が高いことを示唆する特別演出を実行可能であり、
前記特別演出が実行される可能性を示唆する演出であって、所定の更新条件が成立するごとに、進捗量を更新させることが可能な更新演出を実行可能にし、
前記更新条件が成立した場合、前記進捗量を第１の値だけ更新させるときと、前記第１の値よりも大きい第２の値だけ更新させるときとがあり、
前記所定量には、第１の所定量と、前記第１の所定量よりも小さい第２の所定量とがあり、
前記進捗量が前記第２の所定量のときに前記更新条件が成立した場合、前記特別演出が実行されても実行されなくても、前記進捗量を前記第１の値又は前記第２の値で更新させ、
前記進捗量が前記第１の所定量のときに前記更新条件が成立した場合、前記特別演出が実行されても実行されなくても、前記進捗量を更新させないときがあることを特徴とする遊技機。
【請求項２】
前記進捗量が第１の特定値のときと、前記第１の特定値よりも大きい第２の特定値のときとで、前記進捗量が更新されない確率が互いに異なることを特徴とする請求項１に記載の遊技機。
【請求項３】
前記演出実行手段は、
前記進捗量を前記所定量よりも大きい所定値以上まで更新させるときと、前記進捗量を前記所定値まで更新させないときとがあり、
前記更新条件が成立した場合、前記進捗量を第１の値だけ更新させるときと、前記第１の値よりも大きい第２の値だけ更新させるときとがあり、
前記進捗量が前記所定値以上まで更新されたときは、前記特別演出が実行されやすいことを特徴とする請求項１又は請求項２に記載の遊技機。